(57)【要約】【課題】表示出力すべきソースのフォーマットがＨＤとＳＤとで切り換わるときの同期信号の乱れによる画像の乱れが生じないようにする。【解決手段】表示出力信号処理系にソース映像信号を伝送するのにあたり、ＨＤとＳＤとで同じ伝送クロックを用い、伝送データのフレーム内におけるフィールド有効データの開始位置から所定クロック数だけ前方となるデータ位置に対して、フレーム基準信号を挿入する。データ伝送を受けた表示出力信号処理系では、受け取ったデータに挿入されるフレーム基準信号により、垂直同期タイミングを制御するようにして、表示出力のための信号処理を実行する。【選択図】図１７
2008022436.tif 000002
【特許請求の範囲】
【請求項１】
複数の形式間での切り換わりが生じる可能性のあるビデオ信号データが入力され、この入力されるビデオ信号データについて、上記複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手段と、
上記形式変換手段によって得られる上記伝送用ビデオ信号データのフレームごとに、フレーム内において所定の基準となるデータ位置を特定するためのフレーム基準信号を挿入するフレーム基準信号挿入手段と、
上記フレーム基準信号が挿入された伝送用ビデオ信号データを、フレーム単位により上記クロックに同期させて伝送出力する伝送出力処理手段と、
上記伝送出力処理手段により伝送出力された上記伝送用ビデオ信号データが入力され、この入力される伝送用ビデオ信号データを、所定の目的に応じたビデオ信号形式に変換して出力するための信号処理を実行するものとされ、上記入力された伝送用ビデオ信号に挿入されているフレーム基準信号に基づいて発生させたフレーム周期タイミングに同期させて、上記信号処理を実行するようにされた信号出力処理手段と、
を備えることを特徴とするビデオ信号処理装置。
【請求項２】
複数の形式間での切り換わりが生じる可能性のあるビデオ信号データが入力され、この入力されたビデオ信号データについて、上記複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手段と、
上記形式変換手段によって得られる上記伝送用ビデオ信号データのフレームごとに、フレーム内において所定の基準となるデータ位置を特定するためのフレーム基準信号を挿入するフレーム基準信号挿入手段と、
上記フレーム基準信号が挿入された伝送用ビデオ信号データを、フレーム単位により上記伝送クロックに同期させて、他の装置に対して伝送出力する伝送出力処理手段と、
を備えることを特徴とするビデオ信号処理装置。
【請求項３】
上記フレーム基準信号挿入手段は、
所定の基準となるデータ位置とされる、フレーム内における所定の有効画像区間の開始位置となるデータ位置を起点として、所定クロック数だけ前方又は後方となるデータ位置に対して上記フレーム基準信号を挿入するようにされる、
ことを特徴とする請求項２に記載のビデオ信号処理装置。
【請求項４】
他の装置から伝送出力された伝送用ビデオ信号データであって、複数の形式間での切り換わりが生じる可能性のあるビデオ信号データを、この複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされ、さらに、フレームごとに、フレーム内における所定の基準となるデータ位置を特定するためのフレーム基準信号が挿入された伝送用ビデオ信号データを入力する入力手段と、
上記入力手段により入力される伝送用ビデオ信号データを、所定の目的に応じたビデオ信号形式に変換して出力するための信号処理を実行するものとされ、上記入力される伝送用ビデオ信号に挿入されているフレーム基準信号に基づいて発生させたフレーム周期タイミングに同期させて、上記信号処理を実行するようにされた信号出力処理手段と、
を備えることを特徴とするビデオ信号処理装置。
【請求項５】
複数の形式間での切り換わりが生じる可能性のあるビデオ信号データが入力され、この入力されるビデオ信号データについて、上記複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手順と、
上記形式変換手順によって得られる上記伝送用ビデオ信号データのフレームごとに、フレーム内において所定の基準となるデータ位置を特定するためのフレーム基準信号を挿入するフレーム基準信号挿入手順と、
上記フレーム基準信号が挿入された伝送用ビデオ信号データを、フレーム単位により上記クロックに同期させて伝送出力する伝送出力処理手順と、
上記伝送出力処理手順により伝送出力された上記伝送用ビデオ信号データが入力され、この入力される伝送用ビデオ信号データを、所定の目的に応じたビデオ信号形式に変換して出力するための信号処理を実行するものとされ、上記入力された伝送用ビデオ信号に挿入されているフレーム基準信号に基づいて発生させたフレーム周期タイミングに同期させて、上記信号処理を実行するようにされた信号出力処理手順と、
を実行することを特徴とするビデオ信号処理方法。
【請求項６】
複数の形式間での切り換わりが生じる可能性のあるビデオ信号データが入力され、この入力されたビデオ信号データについて、上記複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手順と、
上記形式変換手順によって得られる上記伝送用ビデオ信号データのフレームごとに、フレーム内において所定の基準となるデータ位置を特定するためのフレーム基準信号を挿入するフレーム基準信号挿入手順と、
上記フレーム基準信号が挿入された伝送用ビデオ信号データを、フレーム単位により上記伝送クロックに同期させて、他の装置に対して伝送出力する伝送出力処理手順と、
を実行することを特徴とするビデオ信号処理方法。
【請求項７】
他の装置から伝送出力された伝送用ビデオ信号データであって、複数の形式間での切り換わりが生じる可能性のあるビデオ信号データを、この複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされ、さらに、フレームごとに、フレーム内における所定の基準となるデータ位置を特定するためのフレーム基準信号が挿入された伝送用ビデオ信号データを入力する入力手順と、
上記入力手順により入力される伝送用ビデオ信号データを、所定の目的に応じたビデオ信号形式に変換して出力するための信号処理を実行するものとされ、上記入力される伝送用ビデオ信号に挿入されているフレーム基準信号に基づいて発生させたフレーム周期タイミングに同期させて、上記信号処理を実行するようにされた信号出力処理手順と、
を実行することを特徴とするビデオ信号処理方法。
【発明の詳細な説明】
【技術分野】
【０００１】
本発明は、デジタルのビデオ信号（ビデオ信号データ）について、中間にデータ伝送を伴うような信号処理を実行するようにされたビデオ信号処理装置と、その方法に関するものである。
【背景技術】
【０００２】
現状におけるテレビジョン方式の信号フォーマットとして、ＳＤ(Standard Definition)とＨＤ(High Definition)の各フォーマットが知られている。
ＳＤとは、水平ライン数が５２５とされたＮＴＳＣ方式などのようにして、例えば以前から知られている標準のものである。これに対して、ＨＤは、ＳＤよりも高画質化を図ることなどを目的として、ＳＤの後に開発、規格化されたもので、例えばＮＴＳＣ方式において規定されるＨＤのフォーマットでの水平ライン数としては１０８０とされている。
【０００３】
そして、近年においては、民生の可搬型ビデオカメラ装置にも、撮像により得られる動画像信号をＨＤフォーマットにより記憶媒体に記録可能に構成されたものが知られるようになってきている。このようなＨＤ対応のビデオカメラ装置を使用することで、一般のユーザによっても高画質な撮像画像を記録して残すことが手軽にできることになる。
【０００４】
【特許文献１】特開２００６−１０８８５５６号公報
【発明の開示】
【発明が解決しようとする課題】
【０００５】
ところで、現状においては、周囲のＡＶ機器などが未だＳＤのみに対応したままとされていることのほうが多い。また、ＨＤによる動画像データの単位時間あたりのデータサイズは、ＳＤと比較して相応に大きくなる。そこで、ＨＤ対応のビデオカメラ装置のユーザとしては、撮影の状況などに応じて撮像記録のモードをＨＤとＳＤとで使い分けることで、ＨＤの高画質も享受しながら、記憶媒体の記憶容量を節約したいという要望もあると考えられる。
このような事情を背景として、現状におけるＨＤ対応のビデオカメラ装置の実際としては、ＳＤフォーマットによる撮影記録などをはじめとした、以前からのビデオカメラ装置とほぼ同等のＳＤに対応する機能も与えるようにして構成して、いわゆる下位互換性を与えるようにされていることが一般的である。
【０００６】
すると、上記のようにしてＳＤとの下位互換性が与えられたＨＤ対応のビデオカメラ装置としては、記録再生に関してＨＤとＳＤが混在することになるのであるが、この場合には、次のようなことが問題になる場合がある。
例えば、一般的なこととして、ビデオカメラ装置には、記憶媒体に記憶された撮像画像データを再生して、自身が備える表示部に対して表示させたり、あるいは、所定の映像信号形式に変換して、所定の映像信号出力端子から外部に出力させたりすることができるようになっている。ＨＤ対応のビデオカメラ装置としても、このような表示部に対する画像表示、あるいは映像信号出力機能を与えることになるのであるが、上記のようにして、ＨＤ方式とＳＤ方式とが混在するということは、表示部に対する画像表示、あるいは映像信号出力を行っているときに、その元となる映像ソース（ビデオ信号データ形式）について、ＨＤからＳＤに、あるいは逆にＳＤからＨＤに切り換えるべき機会のあることが想定される。
【０００７】
しかしながら、本来、ＨＤとＳＤとでは、ビデオ信号の処理クロックや、フレーム期間内におけるデータ構造などをはじめとして、そのフォーマットは互いに異なっている。このために、ただ単純に、映像ソースの切り換え指示が得られたタイミングで、ＨＤ／ＳＤ間での切り換えを実行した場合には、切り換え前と切り換え後とでの映像ソースの垂直同期タイミングがずれることとなり、例えばその結果として、表示される画像が乱れることになる。このような画像の乱れを解消することは、例えばビデオカメラ装置としての機器の品質を高め、また、維持するために必要である、ということがいえる。
【課題を解決するための手段】
【０００８】
そこで本発明は上記した課題を考慮して、ビデオ信号処理装置として次のように構成する。
つまり、複数の形式間での切り換わりが生じる可能性のあるビデオ信号データが入力され、この入力されるビデオ信号データについて、複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手段と、この形式変換手段によって得られる伝送用ビデオ信号データのフレームごとに、フレーム内において所定の基準となるデータ位置を特定するためのフレーム基準信号を挿入するフレーム基準信号挿入手段と、フレーム基準信号が挿入された伝送用ビデオ信号データを、フレーム単位により上記クロックに同期させて伝送出力する伝送出力処理手段と、この伝送出力処理手段により伝送出力された伝送用ビデオ信号データが入力され、この入力される伝送用ビデオ信号データを、所定の目的に応じたビデオ信号形式に変換して出力するための信号処理を実行するものとされ、入力された伝送用ビデオ信号に挿入されているフレーム基準信号に基づいて発生させたフレーム周期タイミングに同期させて、上記の信号処理を実行するようにされた信号出力処理手段とを備えることとした。
【０００９】
また、ビデオ信号処理装置として、次のようにも構成する。
つまり、複数の形式間での切り換わりが生じる可能性のあるビデオ信号データが入力され、この入力されたビデオ信号データについて、複数の形式に対して共通に設定した固定周波数のクロックに同期し、また、このクロックの周波数に応じて設定される１フレーム単位に対応するクロック数が上記ビデオ信号データの複数の形式にかかわらず同じとなるようにされた伝送用ビデオ信号データの形式に変換する形式変換手段と、この形式変換手段によって得られる上記伝送用ビデオ信号データのフレームごとに、フレーム内において所定の基準となるデータ位置を特定するためのフレーム基準信号を挿入するフレーム基準信号挿入手段と、フレーム基準信号が挿入された伝送用ビデオ信号データを、フレーム単位により伝送クロックに同期させて、他の装置に対して伝送出力する伝送出力処理手段とを備えて構成することとした。
【００１０】
また、ビデオ信号処理装置として、次のようにも構成する。
つまり、他の装置から伝送出力された伝送用ビデオ信号データであって、複数の形式間での切り換わりが生じる可能性のあるビデオ信号データを、この複数の形式に対して共通に設定した固定周波数のクロックに同期し、また、このクロックの周波数に応じて設定される１フレーム単位に対応するクロック数がビデオ信号データの複数の形式にかかわらず同じとなるようにされ、さらに、フレームごとに、フレーム内における所定の基準となるデータ位置を特定するためのフレーム基準信号が挿入された伝送用ビデオ信号データを入力する入力手段と、この入力手段により入力される伝送用ビデオ信号データを、所定の目的に応じたビデオ信号形式に変換して出力するための信号処理を実行するものとされ、入力される伝送用ビデオ信号に挿入されているフレーム基準信号に基づいて発生させたフレーム周期タイミングに同期させて、信号処理を実行するようにされた信号出力処理手段とを備えて構成することとした。
【００１１】
上記各構成によるビデオ信号処理装置によると、本願発明としては、複数の形式間での切り換えが行われる可能性のあるビデオ信号データを入力して、伝送用ビデオ信号データを生成するようにされている。この伝送用ビデオ信号データの形式としては、上記複数の形式に対して共通に設定した固定周波数のクロックに同期し、かつ、このクロックの周波数に応じて設定される１フレーム単位に対応するクロック数（ここでは、クロックの１周期を１クロックとしている。つまりクロック数は周期数に対応する）について、上記複数の形式にかかわらず一定となるようにされている。また、この伝送用ビデオ信号データに対しては、フレームごとに対応して、そのフレーム内において基準として設定したデータ位置を特定するためのフレーム基準信号を挿入するようにされる。そして、このようにしてフレーム基準信号が挿入された伝送用ビデオ信号データを、フレーム単位のシーケンスにより、クロックに同期させて伝送出力させることとしている。
そして、上記のようにして伝送出力された伝送用ビデオ信号データについての信号処理を実行する側では、フレーム基準信号により発生させたフレーム周期タイミングに同期させて、所定のビデオ信号形式に変換して出力するための信号処理を実行するようにされる。
このような構成では、先ず、伝送用ビデオ信号データとしては、元のビデオ信号データの入力段階での形式の切り換わりにかかわらず、フレーム単位での連続性を維持した伝送が保証されることになる。そして、この伝送用ビデオ信号データを入力して信号処理を行う側では、伝送用ビデオ信号データに挿入されているフレーム基準信号に基づいて、元のビデオ信号データ入力段階での形式の切り換わりにかかわらず、一定間隔で安定したフレーム周期タイミング（垂直同期タイミング）を維持することができ、このフレーム周期タイミングで信号処理を実行することができる。この結果、例えば上記の信号処理を経て出力されるビデオ信号は、途中で形式が変化していたものであるとしても、垂直同期タイミングが乱れることなく、一定した状態を得ることが可能になる。
【発明の効果】
【００１２】
このようにして本発明は、ビデオ信号データの形式の切り換わりにかかわらず、フレーム周期が保たれたビデオ信号出力が保証される。これにより、例えばこのビデオ信号出力により画像を表示させた場合には、ビデオ信号データの形式が切り換わったとされるタイミングで画像が乱れるようなことはなく、正常な画像表示が行われるものであり、例えば、機器としての信頼性も向上することになる。
【発明を実施するための最良の形態】
【００１３】
図１は、本願発明を実施するための最良の形態（以下、実施の形態という）としてのビデオカメラ装置１の全体構成例を示している。このビデオカメラ装置１は、本願発明にかかるビデオ（画像、映像）信号処理装置の構成部位を有して成るものとされる、
撮像部１０は、少なくとも、撮像レンズ群や絞りなどの光学系部品から成る光学系部位と、撮像素子を備えた光電変換部位とから成る。光学系部位においては、入射された光を撮像光として、光電変換部位における撮像素子の受光面に結像させる。光電変換部位においては、例えばＣＭＯＳセンサ、あるいはＣＣＤ(Charge Coupled Device)などの光電変換素子を備えて構成され、光学系部２から入射されて受光面にて結像された撮像光を電気信号に変換することで撮像信号を生成し、カメラ信号処理部１１に出力する。
【００１４】
カメラ信号処理部１１は、上記のようにして撮像部１０の光電変換部位から入力されるアナログの撮像信号について、例えばゲイン調整、サンプルホールド処理を施すことによって波形整形を行ったうえで、Ａ／Ｄ変換を行うことで、デジタルのビデオ信号（ビデオ信号データ）に変換する。そして、この変換処理によって得られたビデオ信号データを、メイン信号処理部１２に対して出力するようにされる。
なお、このようにしてカメラ信号処理部１１からメイン信号処理部１２に入力されるビデオ信号データについては、後述するコーデック処理部１３からメイン信号処理部１２に対して入力されるビデオ信号データと区別するために、以降において、「撮像ビデオ信号データ」ともいう場合がある。これに対して、コーデック処理部１３からメイン信号処理部１２に対して入力されるビデオ信号データについては、「デコードビデオ信号データ」という。
【００１５】
メイン信号処理部１２は、上記のようにしてカメラ信号処理部１１から入力された撮像ビデオ信号データをメディアに記憶させるまでの所要のビデオ信号処理及び信号経路制御などをはじめ、ビデオカメラ装置１において主要となるビデオ信号処理を実行するように構成される部位とされる。
【００１６】
ここで、本実施の形態のビデオカメラ装置は、所定のカラーテレビジョン方式の下で、ＳＤとＨＤの両者のビデオ信号フォーマットに対応して、動画像の記録再生が可能に構成されているものとされる。
先にも説明したように、ＳＤ(Standard Definition)は、水平ライン５２５本（垂直画素数＝５２５）として規定されるＮＴＳＣ(National Television Standards Committee)方式、水平ライン６２５本として規定されるＰＡＬ(Phase Alternation by Line)方式などのようにして、ＨＤ以前から実用化されている標準的な方式である。これに対してＨＤ(High Definition)は、ＳＤ以降において実用化された信号フォーマットであり、ＳＤよりも高画質化を図るために、例えばより多くの解像度（水平／垂直画素数）とすることなどが規定されている。
そこで、例えばメイン信号処理部１２としても、ＨＤとＳＤの両信号フォーマットに対応するために、自身が実行すべき各種の処理に関して、ＨＤとＳＤのいずれの信号フォーマットにも対応した各種の信号処理等が可能なようにして構成される。
なお、本実施の形態のビデオカメラ装置１が対応するＨＤ、ＳＤの信号フォーマットにおいて前提となるテレビジョン方式は、ＮＴＳＣ方式、あるいはＰＡＬ方式の何れかであることとする。しかし、本願発明の下でのテレビジョン方式については特に限定されるべきものではなく、例えばＳＥＣＡＭ(SEquential Couleur A Memoire)などの他のテレビジョン方式に対応にされても構わないものである。
【００１７】
そして、メイン信号処理部１２が、先の説明のようにして、カメラ信号処理部１１から撮像ビデオ信号データを入力した場合には、必要に応じて、圧縮符号化を施すのに適合した信号形式に変換する処理などを施したうえで、コーデック処理部１３に対して撮像ビデオ信号データを転送するようにされる。
【００１８】
コーデック処理部１３においては、ビデオ信号データについての信号処理として、少なくとも、ＳＤとＨＤの両フォーマットごとに対応した圧縮符号化処理と、この圧縮符号化に対応する復号（伸長）処理とを実行可能に構成される。なお、圧縮符号化方式そのものとしては、特に限定されるべきものではないが、現状であれば、ＨＤとＳＤとに対応する圧縮符号化方式には、ＭＰＥＧ２方式が知られている。また、ＨＤについては、ＭＰＥＧ４−ＡＶＣ／Ｈ．２６４といわれる方式も知られている。本実施の形態としても、これらの方式を採用することができるものである。
【００１９】
そして、コーデック処理部１３においては、メイン信号処理部１２から転送されてくるビデオ信号データについて、指定のフォーマット（ＨＤ／ＳＤ）に応じた圧縮符号化方式による圧縮符号化処理を実行するようにされる。ここでの圧縮符号化により得られた符号化データは、この図の構成の場合であれば、例えば、再度メイン信号処理部１２が取り込むようにされたうえで、さらに、記録データとしてメディアドライブ１４に対して転送するようにされる。
【００２０】
メディアドライブ１４は、ビデオカメラ装置１に内蔵される、あるいはリムーバブル形式とされる所定種別の記憶媒体に対するデータの書き込み／読み出しを行うドライブデバイスとされる。このメディアドライブ１４が対応するメディア（記憶媒体）種別としては特に限定されるべきものではないが、例えば現状では、内蔵のタイプであれば、ハードディスクなどとすることが考えられる。また、リムーバブル形式であれば、各種フォーマットのＤＶＤ（Digital Versatile Disc）の光学ディスク状記録媒体や、フラッシュメモリなどによる半導体記憶素子を備える各種のメモリデバイスなどが考えられる。
【００２１】
メディアドライブ１４では、例えば上記のようにして記録データが転送されてきた場合、この記録データを記憶媒体に書き込んで記憶させる。このようにして、本実施の形態のビデオカメラ装置１では、撮像により得られた動画像の情報を、記憶媒体に記憶保存させることができる。なお、このようにして記憶媒体に記憶された動画像情報は、例えば記憶媒体種別などに応じて規定される所定のファイルシステムに従い、ファイル単位で管理される。
【００２２】
また、本実施の形態のビデオカメラ装置１では、メディアに記憶されている動画像情報の読み出しを行って、この読み出した動画像情報について、表示部１６、及びビューファインダ１７(EVF : Electrical View Finder)などの表示部位により、その画像を再生表示させることが可能とされる。また、所定形式のビデオ信号に対応する信号出力端子として、この場合には、Ｄ端子１８及びラインアウト端子１９を備え、上記読み出した動画像情報について、しかるべき信号形式に変換して、これらの信号出力端子から外部に出力させることが可能とされている。
このためには、先ず、メディアに記憶されている動画像情報としてのデータを、メディアドライブ１４により読み出すようにされる。そして、この読み出したデータを、メイン信号処理部１２に転送するようにされる。
このようにしてメディアドライブ１４から読み出されたデータは、圧縮符号化が施されたビデオ信号データとされている。そこで、メイン信号処理部１２では、メディアドライブ１４からのデータを復号化するためにコーデック処理部１３に対して転送するようにされる。
コーデック処理部１３においては、入力された動画像情報のデータについて、その圧縮符号化の形式に対応する復号（伸長）処理を実行して、圧縮符号化前の形式のビデオ信号データを得て、メイン信号処理部１２に転送するようにされる。
【００２３】
メイン信号処理部１２では、上記のようにして、コーデック処理部１３から転送されるビデオ信号データ（デコードビデオ信号データ）の取り込みを行い、例えば必要に応じて、ベースバンドデータ化の処理に適合する所定信号形式への変換を行ったうえで、さらに所定形式による圧縮符号化前のベースバンドデータ（ベースバンド信号）に変換するための信号処理を実行する。
【００２４】
本実施の形態において、例えばメイン信号処理部１２として示される部位と、表示出力系信号処理部１５として示される部位は、実際においては、それぞれ異なるＬＳＩ(Large Scale Integration)部品として実装される。そこで、実際におけるメイン信号処理部１２と表示出力系信号処理部１５の間でのビデオ信号の伝送については、所定方式によるデバイス間でのビデオ信号伝送規格に準じて行うようにされる。本実施の形態としては、このデバイス間ビデオ信号伝送規格として、パラレル伝送規格の１つであるＣＣＩＲ  ＲＥＣ６５６を採用し、これに準拠した信号伝送を行うようにされる。
【００２５】
上記ＣＣＩＲ  ＲＥＣ６５６などのデバイス間ビデオ信号伝送規格では、圧縮符号化形式での伝送は行わず、その伝送規格に適合したベースバンドデータの形式により伝送させることが一般的とされている。上記したメイン信号処理部１２によるベースバンドデータへの変換処理は、ＣＣＩＲ  ＲＥＣ６５６に適合した形式のベースバンドデータを得ることを目的として行われるものである。そして、メイン信号処理部１２においては、ベースバンド化したビデオ信号データ（ベースバンドデータ）を、表示出力系信号処理部１５に対して転送出力するようにされる。
なお、ＣＣＩＲ  ＲＥＣ６５６は、パラレル伝送規格であることから、本実施の形態におけるメイン信号処理部１２と表示出力系信号処理部１５との間の伝送路によっても、パラレル伝送が行われることになる。また、その根拠については後述するが、このパラレル伝送路のビット数については、８ビットとしている。以降において、この８ビットパラレル伝送路については、表示出力系伝送路２０ともいうことにする。また、表示出力系伝送路２０を経由してメイン信号処理部１２から表示出力系信号処理部１５に伝送されるデータについては、伝送用ベースバンドデータということにする。
【００２６】
そして、表示出力系信号処理部１５においては、上記のようにして表示出力系伝送路２０を経由で伝送用ベースバンドデータとして入力される所定形式のビデオ信号を基として、先ず、表示部１６及びビューファインダ１７にて画像表示を実行させるための表示用ビデオ信号データを生成して出力することが可能とされる。また、Ｄ端子１８、及びラインアウト端子１９から、所定の信号形式のカラー画像表示用のビデオ信号データとして出力させることが可能とされる。
ここで、表示部１６及びビューファインダ１７は、表示デバイスとしてＬＣＤが採用されているものとする。表示部１６又はビューファインダ１７により画像を表示させるときには、表示出力系信号処理部１５は、入力されたベースバンドデータについて、表示部１６又はビューファインダ１７としてのＬＣＤのサイズ（解像度）に応じた画素数による、カラー画像表示用の形式の表示用ビデオ信号データに変換するようにされる。表示部１６、ビューファインダ１７は、この表示用ビデオ信号データにより表示駆動を行うようにされる。これにより、表示部１６、ビューファインダ１７としての表示画面に対して、例えばメディアから読み出した動画像情報の画像が表示されることになる。
【００２７】
また、Ｄ端子１８からの信号出力に対応しては、入力されたベースバンドデータを、所定のＤ端子規格に対応するＹ／Ｐｂ／Ｐｒ形式によるコンポーネント信号のデータに変換するようにされる。
また、ラインアウト端子１９からの信号出力に対応しては、入力されたベースバンドデータを、アナログのＹ信号、Ｃ信号（Ｙ／Ｃ）によるコンポジット信号あるいは、セパレート信号の形式に変換するようにされる。
【００２８】
このようにして表示出力系信号処理部１５は、ビデオカメラ装置１における表示部位（表示部１６、ビューファインダ１７）における画像表示に関連した信号処理と、外部信号出力端子（Ｄ端子１８、ラインアウト端子１９）から出力させるべきビデオ信号を得るための信号処理とを実行するように構成されていることになる。
ここで、外部信号出力端子から出力されるビデオ信号は、その端子とケーブルなどにより接続された他の機器において利用されることになるのであるが、その利用の態様の代表的なものの１つとして、画像表示を挙げることができる。このことからすると、表示出力系信号処理部１５において実行される、外部信号出力端子（Ｄ端子１８、ラインアウト端子１９）から出力させるべきビデオ信号形式への変換処理も、表示部位（表示部１６、ビューファインダ１７）における画像表示のためのビデオ信号形式への変換処理と同様に、表示出力に関連した信号処理であるということがいえる。つまり、表示出力系信号処理部１５としては、その名称の通りに、表示出力の系に関しての信号処理を実行する部位であるということがいえる。
【００２９】
なお、実際のビデオカメラ装置による動画像の記録再生にあっては、例えば撮像画像とともにマイクロフォンなどにより収音した音声の情報も、動画像に同期して記録再生されるようになっていることが通常であるが、図１においては、説明を簡単なものとすることの都合上、動画像情報に同期して音声（オーディオ信号）を記録再生するための構成については省略している。また、現状のビデオカメラ装置では、撮像画像として、動画像と共に静止画像のデータも扱って記録再生することが可能とされているが、本実施の形態のビデオカメラ装置についても、例えば撮像により得た静止画像データをメディアに記録し、また、再生可能に構成されて良いものである。
【００３０】
本実施の形態のビデオカメラ装置１としては、上記図１によっても説明したように、ＮＴＳＣ方式あるいはＰＡＬ方式の下で、ＨＤとＳＤの両信号フォーマットに対応した撮像画像データの記録再生が可能とされている。つまり、本実施の形態のビデオカメラ装置１による記録再生のための信号処理としては、ＨＤとＳＤの両信号フォーマットの映像ソース（ビデオ信号ソース）に対応可能なように構成される。なお、ここでの映像ソースとは、撮像部１０からカメラ信号処理部１１を経て、メディアへの記録などのためにメイン信号処理部１２に入力されてくる画像情報（ビデオ信号データ）が対応する。あるいは、メディアに記録済みとされて、メディアドライブ１４により読み出されたことで、再生処理などのためにメイン信号処理部１２に入力されてくる画像情報（ビデオ信号データ）が対応する。また、以降においては、映像ソースとして、信号フォーマットがＨＤであるもの、ＳＤであるものについて、それぞれ、ＨＤソース、ＳＤソースともいうことにする。
【００３１】
そして、本実施の形態におけるメイン信号処理部１２と表示出力系信号処理部１５の間の、表示出力系伝送路２０による伝送用ベースバンドデータの伝送は、ＣＣＩＲ  ＲＥＣ６５６としての伝送フォーマットに準じて行われるものとされるが、この表示出力系へのデータ伝送に際しても、ＨＤソースとＳＤソースとで、それぞれに適合させた伝送用信号フォーマットとするようにされる。
しかしながら、本来的にはＨＤソースとＳＤソースとでは、元の信号形式が異なることから、例えばフレーム期間内における伝送データの構造や、伝送レートなどをはじめとして、基本的な伝送フォーマットも相違することになる。このような相違があるのにもかかわらず、例えば単純に、このようなＨＤソースとＳＤソース間の伝送フォーマットの相違を考慮することなく伝送を行うように構成したとすると、下記のような不都合が生じる。
【００３２】
例えば、メイン信号処理部１２において処理中とされている映像ソースが、ＨＤソースとＳＤソースとの間で切り換わったとする。
図１により説明したように、メイン信号処理部１２において記録又は再生のために処理されているビデオ信号データは、モニタ表示や再生出力表示などのために、表示出力系伝送路２０を経由してメイン信号処理部１２から表示出力系信号処理部１５に対しても伝送出力されることになっている。このために、表示出力系信号処理部１５に入力される伝送用ベースバンドデータとしてもＨＤソースとＳＤソースとの間での切り換わりが生じることになる。この場合、上記のようにして、ＨＤソースとＳＤソースとでは伝送フォーマットが異なることから、ＨＤソースとＳＤソースとの間で信号が切り換わったタイミングでは、そのフレーム周期のタイミング、つまり、ビデオ信号としての垂直同期信号の周期タイミング（垂直同期タイミング）が適正に保たれなくなる場合が生じることになる。このような垂直同期タイミングの乱れは、例えば表示出力系信号処理部１５の処理を経て表示部１６やビューファインダ１７に表示される画像、あるいは外部信号出力端子（Ｄ端子１８、ラインアウト端子１９）からビデオ信号として出力されて外部表示デバイスなどにより表示される画像の乱れとして現れることになる。
【００３３】
なお、このような信号フォーマットの切り換わりが生じる場合としては、例えば、メディアドライブ１４に装填されているメディアに記憶されている映像ソースとしてのビデオ信号データを再生している場合に、その映像ソースの信号フォーマットがＨＤ／ＳＤの間で切り換わるような場合を想定することができる。また、記録信号処理系の構成によっては、撮影記録中において、記録時の信号フォーマットをＨＤ／ＳＤの間で切り換えたような場合にも、表示出力系信号処理部１５を経て再生出力される画像について乱れが生じる可能性がある。
【００３４】
そして、本実施の形態のビデオカメラ装置１としては、映像ソースについてＨＤ／ＳＤ間での切り換えが行われたとしても、上記のような表示画像の乱れが生じないようにされる構成を提案するものである。以降、このための構成について説明を行っていくこととする。
【００３５】
先ずは、本実施の形態のビデオカメラ装置１が、少なくとも表示出力系へのビデオ信号伝送に用いるものとされる、ベースバンドデータのフォーマットについて説明しておくこととする。
なお、ここでいうところの表示出力系に対応した「ベースバンドデータ」としては、大きくは２つの種類のベースバンドデータを包含した意味を持つ。１つは、これまでにも述べてきた、表示出力系伝送路２０によりメイン信号処理部１２から表示出力系信号処理部１５に対して伝送出力されるベースバンドデータ（ビデオ信号データ）である、「伝送用ベースバンドデータ」を指す。もう１つは、この「伝送用ベースバンドデータ」の元となるもので、本来のＨＤ／ＳＤのそれぞれの信号フォーマットに基づいて得られるべきベースバンドデータ（ビデオ信号データ）である、「基本ベースバンドデータ」を指す。
【００３６】
先ずは、前提となる基本ベースバンドデータについてのフォーマット（信号形式）について説明しておく。なお、ここでは、ＮＴＳＣ方式でのＨＤフォーマット（ＮＴＳＣ−ＨＤ）及びＳＤフォーマット（ＮＴＳＣ−ＳＤ）と、ＰＡＬ方式でのＨＤフォーマット（ＰＡＬ−ＨＤ）及びＳＤフォーマット（ＰＡＬ−ＳＤ）について言及する。
この場合の基本ベースバンドデータとしてのビデオ信号データは、ＮＴＳＣ−ＨＤ、ＮＴＳＣ−ＳＤ、ＰＡＬ−ＨＤ、ＰＡＬ−ＳＤに共通なこととして、カラー画像に対応するものとされ、輝度信号データＹと、色差信号データＣｒ（Ｙ−Ｒ）、Ｃｂ（Ｙ−Ｂ）について４：２：２によりサンプリングして得られるコンポーネント信号の形式とされる。
そのうえで、1フレーム分の画像に対応した、ラインクロック数と、水平ライン数については、テレビジョンフォーマットごとに下記のようにして規定されている。なお、ここでのラインクロック数とは、１水平ラインあたりの水平画素数に対応して決まるクロック数である。また、ここでのクロック数とは、所定周波数によるデータ伝送のためのクロック（伝送クロック）についての、周期の連続数とされる。
ＮＴＳＣ−ＨＤ：ラインクロック数＝1650、水平ライン数＝1125
ＮＴＳＣ−ＳＤ：ラインクロック数＝858、水平ライン数＝525
ＰＡＬ−ＨＤ：ラインクロック数＝1980、水平ライン数＝1125
ＰＡＬ−ＳＤ：ラインクロック数＝864、水平ライン数＝625
【００３７】
ここで、上記のようにしてラインクロック数、及びライン数が規定されるテレビジョンフォーマットのデータレートの周波数ｆdrについては、偶数フィールドと奇数フィールドにより1フレームを形成するインターレース方式であることを前提にすると、
ｆdr＝ラインクロック数×１フィールドのライン数×フィールド周波数・・・（式１）
により表されることになる。
そこで、上記(式１)に基づいて、ＮＴＳＣ−ＨＤ、ＮＴＳＣ−ＳＤ、ＰＡＬ−ＨＤ、ＰＡＬ−ＳＤの各テレビジョンフォーマットのデータレートｆdrを求めると、下記のようになる。
先ず、ＮＴＳＣ−ＨＤについては、
1650×(1125/2)×59.94≒55.63186813MHz  (但し、59.94＝4.5M/75075)
となる。
また、ＮＴＳＣ−ＳＤについては、
858×(525/2)×59.94＝13.5MHz  (但し、59.94＝4.5M/75075)
となる。
ＰＡＬ−ＨＤについては、
1980×(1125/2)×50＝55.6875MHz
となる。
ＰＡＬ−ＳＤについては、
864×(625/2)×50＝13.5MHz
となる。
上記したことによれば、ＮＴＳＣ方式とＰＡＬ方式の両方式において、ＨＤとＳＤとでデータレートを比較した場合には、ＨＤのほうがＳＤの約4倍になっていることが分かる。
【００３８】
次に、上記のようにして求められるデータレートに基づいて、基本ベースバンドデータを伝送することとした場合のデータ構造について説明していくこととし、先ず、図２（ａ）により、ＨＤソースとしての基本ベースバンドデータを伝送するときのコンポーネント信号（Ｙ、Ｃｂ、Ｃｒ）のデータ配列を示す。
なお、以降におけるデータ配列に関しての説明にあたり、その説明を簡単なものとすることの便宜上、上記のようにして求められたデータレートのうちで、ＮＴＳＣ−ＨＤとＰＡＬ−ＨＤの各データレートの周波数については、55.63186813MHzと55.6875MHzの近似値とされる56MHzで共通であるとして扱うこととする。これにより、以降の説明からも理解されるようにして、ベースバンドデータの伝送フォーマットとして、図２（ｂ）、図３（ｂ）に示される1クロック周期でのデータ伝送については、ＮＴＳＣ方式とＰＡＬ方式とで共通とすることができる。なお、このＨＤソースに対応させた、近似値による56MHzのデータレートの周波数については、ｆdrhと表記する。また、これに対して、ＮＴＳＣ方式とＰＡＬ方式のＳＤソースが対応する13.5MHzのデータレート周波数については、ｆdrsと表記する。
【００３９】
ここで、上記のようにして、データレートの周波数ｆdrが56MHzとされるのであれば、データ伝送のための伝送クロックVINCLKの周波数ｆclとしても、同じ56MHzを設定することができることになる。そこで、図２（ａ）においては、ｆcl＝56MHz（＝１ｆdrh）とされた伝送クロックVINCLKが示されている。
そのうえで、この場合のＹ、Ｃｂ、Ｃｒによるコンポーネント信号形式としては、先の説明のようにして４：２：２とされたうえで、1クロックあたりに対応するＹ、Ｃｂ、Ｃｒの各信号データについての伝送単位を８ビットであることと規定している。
このことに応じて、図２（ａ）に示す伝送フォーマットとしては、先ず、１６ビット分のパラレル伝送ラインＶＩＮ０〜ＶＩＮ１５を設けることとして、パラレル伝送ラインＶＩＮ０〜ＶＩＮ７により、8ビットの輝度信号データＹ n_0〜Ｙ n_7（図では[Ｙ 1_0〜Ｙ 1_7] 〜[Ｙ 6_0〜Ｙ 6_7]までが示される）を、１クロックごとに伝送し、残るパラレル伝送ラインＶＩＮ８〜ＶＩＮ１５により、１クロックごとに交互に、８ビットの色差信号データＣｂ n_0〜Ｃｂ n_7（図では[Ｃｂ 1_0〜Ｃｂ1_7]〜[Ｃｂ 3_0〜Ｙ 3_7]までが示される）と、８ビットの色差信号データＣｒ n_0〜Ｃｒ n_7（図では[Ｃｒ 1_0〜Ｃｂ1_7]〜[Ｃｒ 3_0〜Ｙ 3_7]までが示される）を伝送するようにされる。
このような伝送フォーマットとすることで、基本ベースバンドデータとして、ＮＴＳＣ−ＨＤあるいはＰＡＬ−ＨＤとされるＨＤソースのビデオ信号データを適正に伝送させることが可能になる。
【００４０】
ところで、上記図２（ａ）に示されるデータ配列によると、伝送路としては、パラレル伝送ラインＶＩＮ０〜ＶＩＮ１５に対応した１６ビットが必要とされる。この伝送路のビット数は、実際のハードウェア構成との対応では、ＬＳＩなどにおいて伝送路（バス）に使用するピン端子数（ポート数）に一致することになる。従って、伝送路のビット数が多いほど、上記ピン端子数、ポート数が増加することとなる。或る用途に使用するピン数が増加すると、ＬＳＩに対して備えるべきピン端子数そのものを増加させる必要があって小型化などに不利になる、あるいは、例えば有限数のピン端子を多様な用途に利用できる余裕が少なくなるなどの不都合を招くことになるので、上記のような使用ピン端子数に関しては、できるだけ削減されるほうが好ましいとされる場合がしばしばある。
【００４１】
そこで、図２（ａ）に示した基本的なＨＤソースのデータ配列を、例えば図２（ｂ）に示すようにして変更することとすれば、伝送路のビット数を削減することが可能になる。
つまり、図２（ｂ）の伝送クロックVINCLKとして示すようにして、そのクロック周波数ｆclについて、データレートの周波数ｆdrh＝56MHzの２倍となる112MHzを設定するようにされる。そして、図のようにして、例えば最初に示される１クロック目のタイミングでは、図２（ａ）における１クロック目のタイミングでパラレル伝送ラインＶＩＮ８〜ＶＩＮ１５により伝送する、８ビットの色差信号データＣｂ 1_0〜Ｃｂ 1_7を、パラレル伝送ラインＶＩＮ０〜ＶＩＮ７により伝送し、２クロック目のタイミングでは、図２（ａ）における１クロック目のタイミングでパラレル伝送ラインＶＩＮ０〜ＶＩＮ７により伝送する、８ビットの輝度信号データＹ 1_0〜Ｙ 1_7を伝送し、３クロック目のタイミングでは、図２（ａ）における２クロック目のタイミングでパラレル伝送ラインＶＩＮ８〜ＶＩＮ１５により伝送する、８ビットの色差信号データＣｒ 1_0〜Ｃｒ 1_7を伝送し、さらに４クロック目のタイミングでは、図２（ａ）における２クロック目のタイミングでパラレル伝送ラインＶＩＮ０〜ＶＩＮ７により伝送する、８ビットの輝度信号データＹ 2_0〜Ｙ 2_7を伝送していくようにされ、以降、同様のシーケンスで、輝度信号データＹ、色差信号データＣｂ、Ｃｒを転送していくようにされる。つまり、図２（ｂ）では、伝送クロックVINCLKの1クロック（1周期）ごとに、各８ビットの色差信号データＣｂ n_0〜Ｃｂ n_7、輝度信号データＹ n_0〜Ｙ n_7、色差信号データＣｒ n_0〜Ｃｒ n_7を、パラレル伝送ラインＶＩＮ０〜ＶＩＮ７により順次転送するという手順を繰り返すようにされる。
このようなデータ配列の形式とすれば、単位時間あたりのデータ伝送量については、図２（ａ）と同じとなるようにされたうえで、パラレル伝送ラインの数は、パラレル伝送ラインＶＩＮ０〜ＶＩＮ７までの８ビットに削減されることになる。
【００４２】
本実施の形態において、メイン信号処理部１２と表示出力系信号処理部１５との間でベースバンドデータ伝送を行うのにあたっては、この図２（ｂ）に示したデータ配列を採用することとしている。つまり、図２（ａ）が、ＨＤソースの基本ベースバンドデータであるのに対して、図２（ｂ）のデータ配列により伝送されるデータが、本実施の形態におけるＨＤソースとしての伝送用ベースバンドデータにおけるコンポーネント信号の実体とされることになる。
このような信号形式とすることにより、表示出力系伝送路２０としては、本来であれば、１６ビットを必要とするところを８ビットに削減することが可能になる。そして、これに応じては、例えば、メイン信号処理部１２及び表示出力系信号処理部１５としてのＬＳＩ部品においてベースバンドデータ伝送に使用するピン端子（ポート）数が削減されることになるものである。
【００４３】
上記のようにして、本実施の形態のビデオカメラ装置１では、メイン信号処理部１２と表示出力系信号処理部１５との間でのベースバンドデータ伝送に関する構成について、先ず、パラレル伝送路である表示出力系伝送路２０については８ビットとしている。また、ＨＤソースの伝送に対応させては、伝送クロックの周波数ｆclについて、基本ベースバンドデータのデータレート周波数ｆdrhの２倍とされる112MHzを設定することとしている。
【００４４】
しかしながら、上記のようにしてベースバンドデータ伝送について構成した場合には、ＳＤソースとの整合が問題になる。
つまり、本実施の形態におけるメイン信号処理部１２から表示出力系信号処理部１５へのデータ伝送としては、ＨＤソースのみではなくＳＤソースも伝送する必要があるものとされる。すると、図２（ａ）に対応するベースバンドデータ伝送の構成に応じた112MHz（2ｆdrh）の伝送クロック周波数ｆclのままでは、基本ベースバンドデータとしてのＳＤソースを伝送することはできない。ＳＤソース（ＮＴＳＣ−ＳＤ、ＰＡＬ−ＨＤ）の基本ベースバンドデータのデータレートの周波数はｆdrs＝13.5MHｚであり、最も順当な考え方としては、このデータレートと同じ伝送クロックの周波数により伝送すべきことになるからである。
しかし、仮に上記の考え方に従って、ＨＤソースは周波数ｆcl＝112MHzの伝送クロックにより伝送し、一方のＳＤソースは周波数ｆcl＝13.5Mzにより伝送するようにして、ＨＤソースとＳＤソースとで伝送クロック周波数を切り換えるようにして構成したとする。
するとこの場合においては、伝送クロックの周波数自体が切り換わることで、切り換えの前後においては、フレーム周期の連続性を保証することはできなくなる。このために、本実施の形態において課題としている、垂直同期タイミングの乱れによる、表示画像の乱れを生じさせることになってしまう。
【００４５】
そこで、本実施の形態としてはＳＤソースを伝送するのにあたっても、伝送クロックの周波数ｆclについては、ＨＤソースに適合して設定した112MHｚとする。つまり、本実施の形態では、ＨＤ／ＳＤの形式の相違にかかわらず、同一、固定のクロック周波数により伝送する。このためのＳＤソースについての伝送フォーマットは、結果的に図３（ｂ）となるが、説明を分かりやすいものとすることの都合上、順を追って説明していくこととする。
先ず、ＳＤソースの基本ベースバンドデータを、本来のデータレート周波数であるｆdrs＝13.5MHzと同じ伝送クロック周波数により伝送することとした場合のコンポーネント信号のデータ配列としては、図２（ａ）について、伝送クロックVINCLKの周波数ｆclを13.5MHzに設定して得られるものとなる。ＳＤソースとしても、先に説明したように、４：２：２のＹ、Ｃｂ、Ｃｒによるビデオ信号データの形式を採るものとされていることから、ＨＤソースと同じく、図２（ａ）に準じたフォーマットが、ＳＤソースのベースバンドデータを伝送する場合における最も基本的なフォーマットとなるものである。
【００４６】
次に、ＳＤソースの基本ベースバンドデータを、ＨＤソースの基本ベースバンドデータのデータレート周波数ｆdrh＝５６MHzと同じ伝送クロックVINCLKの周波数により伝送させる場合を考えてみる。
ここで、先に述べたようにして、基本ベースバンドデータの間でのデータレート周波数を比較すると、ＨＤデータはＳＤデータのほぼ４倍となっている。そこで、この点に着目すれば、原則としては1クロック分のタイミングで伝送すべき１６ビットのデータを、図３（ａ）に示すようにして、４回連続（多重化）して伝送させればよいということになる。このようにすれば、伝送されるデータの内容が更新されるのは、ほぼ４クロックに１回とされ、基本ベースバンドデータに対応する伝送レート周波数である13.5MHz（≒56MHz/4）の１クロック周期と同等のタイミングであることになり、ＳＤソースとしての本来のデータ伝送タイミングが保たれているものとしてみることができる。
【００４７】
そして、図２（ｂ）にて説明したように、伝送クロック周波数ｆcl＝112MHz、及び８ビットのパラレル伝送ラインＶＩＮ０〜ＶＩＮ７から成る表示出力系伝送路２０によりＳＤソースを伝送することとした場合には、コンポーネント信号のデータ配列を、図３（ａ）から図３（ｂ）に示すようにして変更すればよいことになる。
つまり、例えば図における１〜４番目のクロックごとのタイミングでは、図３（ａ）の１〜４番目のクロックの期間でパラレル伝送ラインＶＩＮ８〜ＶＩＮ１５により伝送する、８ビットの色差信号データＣｂ 1_0〜Ｃｂ 1_7を４回連続（多重化）して伝送し、続く５〜８番目のクロックごとのタイミングでは、図３（ａ）の１〜４クロックの期間でパラレル伝送ラインＶＩＮ０〜ＶＩＮ７により伝送する、８ビットの輝度信号データＹ 1_0〜Ｙ 1_7を４回連続して伝送し、続く９〜１２番目のクロックごとのタイミングでは、図３（ａ）の５〜８番目のクロックの期間でパラレル伝送ラインＶＩＮ８〜ＶＩＮ１５により伝送する、８ビットの色差信号データＣｒ 1_0〜Ｃｒ 1_7を４回連続（多重化）して伝送するようにされ、さらに続く１３〜１６番目のクロックごとのタイミングでは、図３（ａ）の５〜８クロックの期間でパラレル伝送ラインＶＩＮ０〜ＶＩＮ７により伝送する、８ビットの輝度信号データＹ 2_0〜Ｙ 2_7を４回連続して伝送し、以降は、このシーケンスに従って、データ伝送を繰り返し継続していくようにされる。
この図３（ｂ）と図３（ａ）の伝送フォーマットを比較してみると、図３（ｂ）の伝送フォーマットでは、８クロック分の期間により伝送されるデータの内容が、図３（ｂ）における4クロック分の期間により伝送されるデータの内容と同じとなっている。つまり、伝送クロックVINCLKの周波数についてはｆcl＝112MHzとされているものの、実質的には、ＳＤソースのデータレート（ｆdrs＝13.5MHz）によりデータ伝送を行っていることと同等の動作が得られているものである。
【００４８】
上記図３（ｂ）に示されるＳＤソースの信号データ配列のようにして、ＨＤソースとのデータレート比率に応じた多重化伝送を行うようにすれば、例えばＨＤソースを基準に設定した共通の伝送クロックにより、ＳＤソースも伝送することは可能とされる。ただし、１フレーム全体としてみた場合には、下記のようにして、ＮＴＳＣ−ＳＤソースについては、水平ラインのクロック数（データ数）について調整して設定する必要があることになる。
【００４９】
先ず、ＮＴＳＣ−ＨＤソースについての１フレーム分のデータ数（クロック数clk）としては、基本ベースバンドデータの形式での水平クロック数(1650)と水平ライン数(1125)とに基づいて、下記（式２）のようにして求めることができる。なお、ここでは、本実施の形態の伝送フォーマットに適合させて、伝送クロックの周波数ｆcl＝112MHz（＝2ｆdrh）であることとする。
1650×1125×（112/56）＝3712500clk・・・（式２）
【００５０】
本実施の形態としては、上記図２及び図３により説明したように、ＨＤソースとＳＤソースとで、ｆcl＝112MHzで共通とされる伝送クロックVINCLKによりベースバンドデータ伝送を行うこととしている。従って、伝送データが多重化されてはいるものの、ＳＤソースとしても、１フレーム期間分のデータは、上記（式２）により求められた3712500clkによって伝送されることになる。
【００５１】
ＮＴＳＣ−ＳＤソースにおいて、１フレームを形成する水平ライン数は５２５本とされる。そこで、単純に、１水平ラインに対応するクロック数を求めると、
3712500clk／525≒7071.4・・・（式３）
となり、自然数ではない解が得られる。１水平ラインに対応するクロック数としては、自然数であることが条件であるため、このままでは、ＮＴＳＣ−ＳＤソースについての適正な水平ラインのクロック数を設定することができない。
なお、確認のために述べておくと、ＮＴＳＣ−ＨＤソースについては、１フレームのクロック数が(式２)により求められることからも分かるように、伝送クロック周波数ｆcl＝112MHzでの１水平ラインに対応するクロック数は、基本ベースバンドデータの水平クロック数の2倍とされる3300clk（＝1650×2）となるものであり、自然数の解が得られる。
【００５２】
そこで、本実施の形態のビデオカメラ装置１がＮＴＳＣ方式に対応する場合には、図４（ｂ）に示すようにして、水平ラインのクロック数を設定することとした。
図４（ｂ）には、ＮＴＳＣ−ＳＤソースについての１フレーム期間分の水平ライン構成を、伝送クロックVINCLK（fcl＝112MHz）のクロック数との対応により示している。また、この図においては比較として、図４（ｂ）の上段の図４（ａ）により、ＮＴＳＣ−ＨＤソースの水平ライン構成についても示している。
【００５３】
先ず、図４（ａ）に示されるＮＴＳＣ−ＨＤソースについては、１フレームは、１１２５本の水平ライン(１１２５Ｈ)により形成される。この場合、フレームが開始される水平ラインは第２１ラインとされており、フレームの終端水平ラインは、次の第２０ラインとされている。また、これら１１２５Ｈの水平ラインのうち、前半の５６３Ｈが第1フィールド（奇数フィールド）に対応し、後半の５６２Ｈが第２フィールド(偶数フィールド)に対応するものとしている。
そして、第１フィールドとしては、先頭の第２１ラインから第５６０ラインまでの５４０Ｈが画像として有効な水平ラインである有効ライン区間とされ、続く第５６１ラインからフィールド終端の第５８３ラインまでの２３Ｈの区間が、フィールドごとの垂直垂直ブランキング区間に対応する垂直ブランキング区間とされる。同様にして、第２フィールドでは、先頭の第５８４ラインから第１１２３ラインまでの５４０Ｈが有効ライン区間とされ、続く第１１２４ラインからフィールド終端の第２０ラインまでの２２Ｈの区間が垂直ブランキング区間とされる。そして、これらの区間を形成する各１本ずつのライン（１Ｈ）は、図示もしているようにして、先の（式４）により求められたとおりに、全て３３００ｃｌｋとなるものである。
【００５４】
これに対して、図４（ｂ）のＮＴＳＣ−ＳＤソースについては下記のようになる。
ここでのＮＴＳＣ−ＳＤソースの１フレームは、第２３ラインから次の第２２ラインまでの５２５Ｈにより形成されるものとしており、前半の２６３Ｈが第１フィールドに対応し、後半の５６２Ｈが第２フィールドに対応するものとされている。また、第１フィールドにおいては、先頭の第２３ラインから第２６２ラインまでの２４０Ｈが有効ライン区間とされ、続く第２６３ラインから第２８５ラインまでの２３Ｈが垂直ブランキング区間とされる。また、第２フィールドにおいては、先頭の第２８６ラインから第５２５ラインまでの２４０Ｈが有効ライン区間で、続く第１ラインから第２２ラインまでの２２Ｈが垂直ブランキング区間となる。
【００５５】
そして、ＮＴＳＣ−ＳＤソースについての水平ラインとクロック数の対応としては、下記のようにして設定することとした。
つまり、図に示される１フレームの区間のうち、先頭の第２３ラインから、終端の１つ前の第２１ラインまでの５２４Ｈ分の水平ラインについては、それぞれ、7072clkのクロック数を設定する。すると、これら５２４Ｈ分の水平ラインが対応するクロック数は、7072×524＝3705728clkとなり、１フレームにおいて残るクロック数は、3712500−3705728＝6772clkとなる。そこで、１フレームの区間における最後の水平ラインである、第２２ラインに対しては、6772clkのクロック数を設定するようにされる。
このような水平ラインに対するクロック数設定を行えば、有効ライン区間を形成する水平ラインのクロック数については、全て、7072clkで同じとすることができる。他の水平ラインとクロック数が異なる第２２ラインは、垂直ブランキング区間を形成する水平ラインであり、画像としては無効であることから表示などにおいて実質的な悪影響を及ぼすことにはならない。
【００５６】
一方、ＰＡＬ方式に関しては、上記ＮＴＳＣ方式のようにして、ＳＤソースについての水平ラインのクロック数を調整して設定する必要はない。
つまり、ＰＡＬ−ＨＤソースの１フレームに対応するクロック数は、基本ベースバンドデータの形式での水平クロック数(1980)と水平ライン数(1125)とに基づいて、
1980×1125×（112/56）＝4455000clk・・・（式４）
のようにして表されることになる。
そして、ＰＡＬ−ＳＤの1フレームを形成するとされる水平ライン数は、625Ｈとされる。従って、１水平ラインあたりのクロック数は、
4455000clk/625＝7128clk・・・(式５)
となる。つまり、625本の全ての水平ラインについて、7128clkで同じクロック数を設定できる。
【００５７】
図５（ａ）（ｂ）に、それぞれＰＡＬ−ＨＤソースと、ＰＡＬ−ＳＤソースについての１フレーム期間分の水平ライン構成を、伝送クロックVINCLK（fcl＝112MHz）のクロック数との対応により示す。
先ず、ＰＡＬ−ＨＤソースについての水平ライン構成としては、図４（ａ）と同じとなる。ただし、上記（式４）により示したように、１フレームのクロック数は4455000clkとなり、基本ベースバンドデータの水平クロック数が1980とされることに応じて、この場合の1水平ラインあたりのクロック数は、3960clk（＝1980×2）となる。
また、ＰＡＬ−ＳＤソースについては、１フレームが、第２３ラインから次の第２２ラインまでの６２５Ｈにより形成されるものとしており、前半の３１３Ｈが第１フィールドに対応し、後半の３１２Ｈが第２フィールドに対応するものとされている。また、第１フィールドにおいては、先頭の第２３ラインから第３１０ラインまでの２８８Ｈが有効ライン区間とされ、続く第３１１ラインから第３３５ラインまでの２５Ｈが垂直ブランキング区間とされる。また、第２フィールドにおいては、先頭の第３３６ラインから第６２３ラインまでの２８８Ｈが有効ライン区間で、続く第６２４ラインから第２２ラインまでの２４Ｈが垂直ブランキング区間となる。そのうえで、１水平ラインあたりのクロック数としては、先に(式５)により求めたようにして、7128clkで均一となるものである。
【００５８】
これまでにおいて説明したように、表示出力系伝送路２０により伝送される伝送用ベースバンドデータについてのクロック周期に応じたコンポーネント信号のデータ配列としては、ＮＴＳＣ−ＨＤソースが図２（ｂ）及び図４（ａ）に示され、ＮＴＳＣ−ＳＤソースが図３（ｂ）及び図４（ｂ）に示され、ＰＡＬ−ＨＤソースが図２（ｂ）及び図５（ａ）に示され、ＰＡＬ−ＨＤが図３（ｂ）及び図５（ｂ）に示されるものとなる。そして、実際に表示出力系伝送路２０により伝送用ベースバンドデータを伝送するのにあたっては、これらの図に示される配列のデータを、先にも述べたようにして、ＣＣＩＲ  ＲＥＣ６５６の規格に準じたフォーマットにより伝送することとしている。
【００５９】
そこで、続いては、上記ＣＣＩＲ  ＲＥＣ６５６に基づいた伝送用ベースバンドデータのデータフォーマットについて説明を行っていくこととする。
先ず、図６により、伝送用ベースバンドデータがＮＴＳＣ−ＨＤソースとされる場合のデータフォーマットを示す。
図６（ａ）には、ＮＴＳＣ−ＨＤソースとしての１フレーム分の伝送データの構造（フレームデータ構造）が示されている。ＮＴＳＣ−ＨＤソースでは、先の説明のようにして１フレームが１１２５Ｈから成るものとされたうえで、この場合には、第１ライン（ＬＩＮＥ１）〜第２０ラインが垂直ブランキング区間であり、第２１ライン（ＬＩＮＥ２１）〜第５６０ラインまでが第１フィールドの有効ライン区間であり、第５６１ライン（ＬＩＮＥ５６１）〜第５８３ラインまでが垂直ブランキング区間であり、第５８４ライン（ＬＩＮＥ５８４）〜第１１２３ラインまでが第２フィールドの有効ライン区間であり、第１１２４ライン（ＬＩＮＥ１１２４）及び第１１２５ラインが垂直ブランキング区間であることとしている。また、この図においては、第１フィールドは、第４ライン〜第５６６ラインにより成り、第２フィールドは、第５６７ライン〜第３ラインにより成るものとしている。ここでのフィールドの範囲設定は、図４（ａ）とは異なっているが、これは、例えばフィールドの開始位置の設定のバリエーションにすぎないものであり、図６（ａ）も図４（ａ）も、第１フィールドが、第２１ライン〜第５６０ラインまでの有効ライン区間を含む５６３Ｈの区間であり、第２フィールドが、第５８４ライン〜第１１２３ラインまでの有効ライン区間を含む５６２Ｈの区間である、という点では共通している。
【００６０】
図６（ｂ）は、上記図６（ａ）のフレームデータ構造における、１水平ライン分のデータの構造（ラインデータ構造）を示している。また、このラインデータ構造については、図６（ｃ）の水平コントロール信号を対応させている。水平コントロール信号は、水平ライン周期でのタイミングを示す信号とされ、例えばこの図６に示される伝送用ベースバンドデータを生成するときのタイミング信号の１つとして使用される。
ＮＴＳＣ−ＨＤソースの１水平ラインは、図４（ａ）によっても説明したように、伝送クロックVINCLKのクロック周波数ｆcl＝１１２MHzとして、クロック数に換算して３３００ｃｌｋとなる。そして、この３３００ｃｌｋのうち、開始位置から４２０ｃｌｋが水平ブランキング区間とされ、残る後ろの２８８０ｃｌｋが、水平ライン内において、図２（ｂ）に示すようにして、画像として有効なコンポーネント信号のデータ（Ｃｂ、Ｙ、Ｃｒ）を配列することのできるライン内有効信号区間となる。ただし、ライン内有効信号区間に対して真に有効なコンポーネント信号のデータが配列されるのは、図６（ａ）における第１フィールドまたは第２フィールドの有効ライン区間においてのみであり、垂直ブランキング区間内のライン内有効信号区間においては、有効な画像信号のデータは配列されない。
【００６１】
そして、１水平ライン内における水平ブランキング区間については、ＣＣＩＲ  ＲＥＣ６５６に従って、その先頭（フレーム開始位置）から４ｃｌｋ分の区間をＥＡＶとし、水平ブランキング区間における最後の４ｃｌｋ分の区間をＳＡＶとするようにされる。
ＥＡＶは、直前のライン内有効信号区間の終了を示すコード領域とされ、ＳＡＶは、直後のライン内有効信号区間の開始を示すコード領域とされる。
【００６２】
上記ＥＡＶ、ＳＡＶの構造例を、図１０に示す。
ＥＡＶ、ＳＡＶとしては、１ｃｌｋに対応する８ビット（１バイト）のデータ（ここではクロック単位データということにする）が４ｃｌｋ分配列されるようにして形成されることになる。ここでは、このクロック単位データを成す８ビットのデータＤ７〜Ｄ０は、例えば、図２（ｂ）にて説明したパラレル伝送ラインＶＩＮ７〜ＶＩＮ０の各々により伝送されるデータとなる。
そして、ＥＡＶ、ＳＡＶを成す４ｃｌｋ分のクロック単位データのうち、１番目〜３番目のクロック単位データの領域はプリアンブル(Preamble)とされて、図示するようにして、１番目のクロック単位データについては、Ｄ７〜Ｄ０＝１１１１１１１１（0xFF）、2番目及び3番目のクロック単位データについてはＤ７〜Ｄ０＝００００００００（0x00）となる固有パターンが与えられる。
そして、ＥＡＶ、ＳＡＶにあっては、４番目のクロック単位データがステイタスワード（Status Word）とされて、実質的な意義が与えられるようにされる。その意義についての定義例としては、先ず、Ｄ７については、定常的に１となるように規定されたうえで、Ｄ６をフィールド識別子[Ｆ]、Ｄ５を垂直ブランキング区間識別子[Ｖ]、Ｄ４をＥＡＶ／ＳＡＶ識別子[Ｈ]として規定する。
また、残るＤ３、Ｄ２、Ｄ１、Ｄ０は、それぞれ、パリティＰ３、Ｐ２、Ｐ１、Ｐ０とされ、例えば同じステイタスワードにおけるＤ７〜Ｄ４についての誤り検出符号として機能する。ちなりみに、パリティＰ３は、垂直ブランキング区間識別子[Ｖ]とＥＡＶ／ＳＡＶ識別子[Ｈ]についての排他的論理和により求められる値とされる。また、パリティＰ２は、フィールド識別子[Ｆ]とＥＡＶ／ＳＡＶ識別子[Ｈ]についての排他的論理和により求められる値とされ、パリティＰ１は、フィールド識別子[Ｆ]と垂直ブランキング区間識別子[Ｖ]についての排他的論理和により求められる値とされ、パリティＰ０は、フィールド識別子[Ｆ]と垂直ブランキング区間識別子[Ｖ]とＥＡＶ／ＳＡＶ識別子[Ｈ]についての排他的論理和により求められる値とされる。
そして、ステイタスワードが取り得るＤ７〜Ｄ０のビットパターンとしては、図示するようにして、
１０００００００（パターン１）
１００１１１０１（パターン２）
１０１０１０１１（パターン３）
１０１１０１１０（パターン４）
１１０００１１１（パターン５）
１１０１１０１０（パターン６）
１１１０１１００（パターン７）
１１１１０００１（パターン８）
の８つのパターンがあるものとされる。
なお、上記したステイタスワードのビットパターンについて、Ｄ７〜Ｄ４の４ビットをＸ、Ｄ３〜Ｄ０の４ビットをＹとして置き換えるとして、このＸＹとしてのビットパターンを１６進法表記により表したとすると、上記したパターン１〜８のビットパターンは、それぞれ次のようにして表される。
0x80（パターン１）
0x9D（パターン２）
0xAB（パターン３）
0xB6（パターン４）
0xC7（パターン５）
0xDA（パターン６）
0xEC（パターン７）
0xF1（パターン８）
【００６３】
そして、上記ステイタスワードの意義内容については、図６（ｄ）により示されている。
先ず、フィールド識別子[Ｆ]は、その水平ラインについて、０であれば第１フィールド（奇数(odd)フィールド）に属することを示し、１であれば第２フィールド（奇数(odd)フィールド）に属することを示すものとされる。これに応じて、フィールド識別子[Ｆ]は、ＥＡＶとＳＡＶとで共に、第１ライン〜第３ライン、及び第５６７ライン〜第１１２５ラインにおいて１となるようにされ、第４ライン〜第５６６ラインまでが０となるようにされる。
また、垂直ブランキング区間識別子[Ｖ]については、ＥＡＶとＳＡＶとで共に、第１ライン〜第２０ライン、第５６１ライン〜５８３ライン、及び第１１２４ライン、第１１２５ラインにおいて１とされることで、垂直ブランキング区間であることを示すようにされ、第２１ライン〜第５６０ライン、及び第５８４ライン〜第１１２３ラインにおいて０とされることで、有効ライン区間であることを示すようにされる。
また、ＥＡＶ／ＳＡＶ識別子[Ｈ]については、ＥＡＶでは、全ての水平ラインにおいて１とされることでＥＡＶであることを示し、ＳＡＶでは、全ての水平ラインにおいて０とされることでＳＡＶであることを示すようにされる。
【００６４】
すると、１フレーム内における、ＥＡＶとＳＡＶのステイタスワードのビットパターンとしては、それぞれ、図６（ｅ）（ｆ）に示すようにして設定されることになるが、ここで、図６（ｅ）（ｆ）のビットパターンと、図６（ａ）のフレーム構造とを比較してみると、図１０により説明したＥＡＶとＳＡＶにおけるステイタスワードとしての８種類のビットパターン（XY）は、下記のようにして、ＥＡＶ／ＳＡＶの識別と、対応する水平ラインが、フレームにおけるどの区間に属するのかについての識別とを行うためのコードとして機能していることが分かる。
0x80（パターン１）→第１フィールドの有効ライン区間に属するＳＡＶ
0x9D（パターン２）→第１フィールドの有効ライン区間に属するＥＡＶ
0xAB（パターン３）→第１フィールドの垂直ブランキング区間に属するＳＡＶ
0xB6（パターン４）→第１フィールドの垂直ブランキング区間に属するＥＡＶ
0xC7（パターン５）→第２フィールドの有効ライン区間に属するＳＡＶ
0xDA（パターン６）→第２フィールドの有効ライン区間に属するＥＡＶ
0xEC（パターン７）→第２フィールドの垂直ブランキング区間に属するＳＡＶ
0xF1（パターン８）→第２フィールドの垂直ブランキング区間に属するＥＡＶ
【００６５】
次に、図７により、ＮＴＳＣ−ＳＤの伝送用ベースバンドデータのデータフォーマットを示す。なお、この図において、図６と同等の意義を持つとされる内容については説明を省略する。
先ず、この場合の図７（ａ）に示される、ＮＴＳＣ−ＳＤソースとしてのフレームデータ構造については、１フレームが５２５Ｈから成るものとされたうえで、第１ライン（ＬＩＮＥ１）〜第２２ラインが垂直ブランキング区間とされ、第２３ライン（ＬＩＮＥ２３）〜第２６２ラインまでが第１フィールドの有効ライン区間とされ、第２６３ライン（ＬＩＮＥ２６３）〜第２８７ラインまでが垂直ブランキング区間とされ、第２８６ライン（ＬＩＮＥ２８６）〜第５２５ラインまでが第２フィールドの有効ライン区間とされる。また、この図においては、第１フィールドは、第４ライン〜第２６６ラインにより成り、第２フィールドは、第２６７ライン〜第３ラインにより成るものとしている。このフィールドの範囲設定も、図４（ｂ）とは異なってはいるものの、ＮＴＳＣ−ＨＤの場合と同様に、第１フィールドが、第２３ライン〜第２６２ラインまでの有効ライン区間を含む２６３Ｈの区間であり、第２フィールドが、第２８６ライン〜第５２５ラインまでの有効ライン区間を含む２６２Ｈの区間である、という点では共通しているものである。
【００６６】
また、図７（ｂ）においては、図６（ｂ）において１つのクロック単位データとして示されている区間を、データセグメントCegとして示している。このデータセグメントCegは、伝送クロックVINCLKのクロック周波数ｆclが１１２MHzであることを前提とすると、４clk分の区間となり、周波数としては112MHz/4により表されることになる。先に、図３（ｂ）に示したように、ＳＤソースについては、４clkの期間において、１clkごとに４回、同じデータを8ビットで伝送するようにされるが、データセグメントCegは、この４clkの期間により同じデータを４回多重化して伝送する区間とされるものである。
【００６７】
ＮＴＳＣ−ＳＤソースの１水平ラインについては、図４（ｂ）にて説明したように、第２３ラインから次の第２１ラインまでは、７０７２ｃｌｋ（＝１７６８×４clk）であり、第２２ラインについてのみ、６７７２ｃｌｋ（＝１６９３×４clk）となる。
そして、例えば図７（ｂ）の１水平ラインの区間において、図７（ｃ）の水平コントロール信号がＨレベルとなる区間とされる、水平ブランキング区間は、第２３ラインから次の第２１ラインまでは１２８０clk（＝３２０×４）とし、第２２ラインについては９８０clk（＝２４５×４）とするようにされる。そして、水平ブランキング区間に続くライン内有効信号区間については、全ての水平ラインについて、５７６０clk（＝１４４０×４）とするようにされる。つまり、水平ライン単位で見た場合には、第２２ラインでのクロック数の調整を、その水平ブランキング区間のクロック数の設定により行っているものであり、これにより、ライン内有効信号区間のクロック数については、全ての水平ラインにおいて同じとなるようにして、例えば信号処理が複雑にならないように配慮しているものである。
【００６８】
そのうえで、ＮＴＳＣ−ＳＤの場合にも、水平ブランキング区間における先頭の４ｃｌｋ分の区間をＥＡＶとし、最後の４ｃｌｋ分の区間をＳＡＶとするようにされる。そして、この場合にも、図７（ａ）と、図７（ｄ）（ｅ）（ｆ）とを参照して分かるように、ＥＡＶ、ＳＡＶのステイタスワードとしては、自身がＥＡＶ／ＳＡＶのいずれであるのか、また、対応する水平ラインがどの区間に属するのかに応じて、先に説明した８種類（パターン１〜パターン８）のうちのしかるべきビットパターンが設定されることになる。
【００６９】
また、図８、図９により、ＰＡＬ−ＨＤ、ＰＡＬ−ＳＤの伝送用ベースバンドデータのデータフォーマットを示す。なお、これらの図にあっても、図６、図７と同等の意義を持つとされる内容については説明を省略する。
先ず、図８のＰＡＬ−ＨＤから説明する。
ＰＡＬ−ＨＤのフレーム構造において、１フレームを形成する水平ライン数としては、１１２５Ｈで、ＮＴＳＣ−ＨＤと同様とされる。そのうえで、区間設定としては、図８（ａ）に示すようにして、第１ライン（ＬＩＮＥ１）〜第２０ラインが垂直ブランキング区間とされ、第２１ライン（ＬＩＮＥ２１）〜第５６０ラインまでが第１フィールドの有効ライン区間とされ、第５６１ライン（ＬＩＮＥ５６１）〜第５８３ラインまでが垂直ブランキング区間とされ、第５８４ライン（ＬＩＮＥ５８４）〜第１１２３ラインまでが第２フィールドの有効ライン区間とされ、第１１２４ライン、第１１２５ラインが垂直ブランキング区間とされる。また、第１フィールドは、第１ライン〜第５６３ラインにより成り、第２フィールドは、第５６４ライン〜第１１２５ラインにより成るものとしている。
【００７０】
また、１水平ラインデータの構造としては、図８（ｂ）（ｃ）により示すようにして、伝送クロックVINCLKのクロック周波数ｆcl＝１１２MHzとして、全体が３９６０ｃｌｋにより成るものとされたうえで、先頭の１０８０ｃｌｋを水平ブランキング区間として、以降の２８８０clkによる区間をライン内有効信号区間としている。
【００７１】
そして、この場合においても、水平ブランキング区間の先頭と終端の４clk分の区間をそれぞれＥＡＶ、ＳＡＶとして、図８（ｄ）（ｅ）（ｆ）に示すようにして、水平ラインごとにしかるべきステイタスワード（XY）のビットパターンを設定するようにされる。
【００７２】
続いて図９のＰＡＬ−ＳＤについて説明する。
先ず、ＰＡＬ−ＳＤのフレーム構造にあっては、図９（ａ）に示すように、１フレームを形成する水平ライン数は６２５Ｈであり、区間設定としては、第１ライン（ＬＩＮＥ１）〜第２２ラインが垂直ブランキング区間とされ、第２３ライン（ＬＩＮＥ２３）〜第３１０ラインまでが第１フィールドの有効ライン区間とされ、第３１１ライン（ＬＩＮＥ３１１）〜第３３５ラインまでが垂直ブランキング区間とされ、第３３６ライン（ＬＩＮＥ３３６）〜第６２１ラインまでが第２フィールドの有効ライン区間とされ、第６２４ライン、第６２５ラインが垂直ブランキング区間とされる。また、第１フィールドは、第１ライン〜第３１３ラインにより成り、第２フィールドは、第３１４ライン〜第６２５ラインにより成るものとしている。
【００７３】
１水平ラインデータの構造としては、図９（ｂ）（ｃ）により示される。なお、この図においても、図７と同様にして、データセグメントCegは、伝送クロックVINCLKのクロック周波数ｆclが１１２MHzであるとして、112MHz/4となる４clk分に相当し、同じデータを４回多重化して伝送する区間とされるものである。
そのうえで、１水平ラインとしては、それぞれが７１２８ｃｌｋ（＝１７８２×４）からなるものとした上で、先頭の１３３６ｃｌｋを水平ブランキング区間として、以降の５７６０clkによる区間をライン内有効信号区間とする。そして、水平ブランキング区間における、先頭と終端の４clk分の区間をそれぞれＥＡＶ、ＳＡＶとして、図９（ｄ）（ｅ）（ｆ）に示すようにして、水平ラインごとにしかるべきステイタスワード（XY）のビットパターンを設定する。
【００７４】
このようにして、本実施の形態においては、ＮＴＳＣ−ＨＤ、ＮＴＳＣ−ＳＤ、ＰＡＬ−ＨＤ、ＰＡＬ−ＳＤの伝送用ベースバンドデータを、それぞれ上記してきた、ＣＣＩＲ  ＲＥＣ６５６に準拠するとされるデータフォーマットにより伝送するようにされる。
そのうえで、本実施の形態では、図６〜図９のそれぞれに示したデータフォーマットの構造において、フレームタイミングの基準となるフレーム基準信号を挿入するようにされる。
【００７５】
上記フレーム基準信号を挿入したフォーマット例を、図１１に示す。
この図においては、クロック周波数ｆcl＝112MHzの伝送クロックVINCLKの周期タイミングに対応させて、ＨＤソースとＳＤソースそれぞれについての伝送用ベースバンドデータのシーケンスが示されている。
そして、この図においては、データ位置Ｐ（０）を、ＨＤソース及びＳＤソースそれぞれについての、第１フィールドの有効信号の開始位置としている。ここでの第１フィールドの有効信号（有効画像）の開始位置とは、第1フィールド有効ライン区間を成す最初の水平ラインにおけるライン内有効信号区間の開始位置を指す。具体例として、図６のＮＴＳＣ−ＨＤの場合であれば、このデータ位置Ｐ（０）は、第２１ラインにおける先頭から４２１ｃｌｋ分だけ後となる、ライン内有効信号区間の最初の８ビットデータ（クロック単位データ）の位置となるものである。また、図７のＮＴＳＣ−ＳＤであれば、データ位置Ｐ（０）は、第２３ラインにおける先頭から１３１２ｃｌｋ若しくは１０１２ｃｌｋ分だけ後となる、ライン内有効信号区間の最初の８ビットデータ（クロック単位データ）の位置となる。なお、図においては、このことを明確にするために、データ位置Ｐ（０）の直前に配置されるＳＡＶのデータ配列を示しているものである。
【００７６】
そして、図示するようにして、ＨＤソースとＳＤソースとで、同じようにして、上記データ位置Ｐ（０）から所定クロック数だけ遡ったデータ位置Ｐ（−１）を基点として、ここからさらにデータ位置Ｐ（−２）までの１６ｃｌｋ分の区間に対して、フレーム基準信号Srefを挿入するようにされる。
【００７７】
この場合の具体的なフレーム基準信号Srefの挿入位置として、データ位置Ｐ（０）からデータ位置Ｐ（−１）までの距離について、ＮＴＳＣ方式については2034clkであることとし、ＰＡＬ方式では2362clkとしている。このクロック数によって決まるフレーム基準信号Srefの挿入位置は、ＮＴＳＣ−ＨＤ、ＮＴＳＣ−ＳＤ、ＰＡＬ−ＨＤ、ＰＡＬ−ＳＤのいずれの場合にも、第１フレームの垂直ブランキング区間を成す水平ラインのうちの最後の水平ラインにおける、ライン内有効信号区間の範囲内に在るようにされる。つまり、画像表示のためには無効な信号データが配列される区間に対して挿入される。そして、フレーム基準信号Srefには、このような無効な信号データが配列される区間、領域においては、本来存在しないものとされるビットパターンを設定することで、フレーム基準信号Srefであることの識別が可能なようにする。
【００７８】
なお、フレームデータ内におけるフレーム基準信号Srefについての挿入位置は、図１１に示した以外にも考えられる。先ず、第１フィールドの有効信号の開始位置に対する距離（クロック数）は、上記した2034clk、若しくは2362clkに限定されない。ただし、有効信号の開始位置に近いほうが、受信処理側（表示出力系信号処理部１５）での信号処理にあたって、より高い精度の同期タイミングを発生させることが期待できる。
また、フレーム基準信号Srefとしては、例えば有効信号の開始位置などのようにして、フレーム内における特定のデータ位置を特定できるようにして挿入されればよいことから、例えば第２フィールドの有効信号の開始位置を起点として、第２フィールドの有効ライン区間の直前の垂直ブランキング区間内に挿入されるようにしてもよい。
【００７９】
これまでの説明から理解されるようにして、本実施の形態としては、先ず、ＨＤソースとＳＤソースとの何れのベースバンドデータについても、共通のクロック周波数ｆcl＝112MHzによる伝送用クロックVINCLKにより伝送するフォーマットととしている。
このような伝送フォーマットとすることで、本実施の形態としては、例えば表示出力系伝送路２０によりベースバンドデータを伝送している中途において、ＨＤソースとＳＤソースとの間でベースバンドデータを切り換えるべきタイミングになったとしても、伝送用クロックの周波数を切り換える必要はなく、同じ112MHzの伝送用クロックに従ったタイミングでのベースバンドデータの切り換えが行われることになる。従って、例えば、伝送出力側において、ベースバンドデータを伝送出力するのにあたり、ＨＤソースからＳＤソース、あるいはＳＤソースからＨＤソースへの切り換えにあたって、フレーム単位の区切りにより切り換えを行うようにすれば、ソース切り換えにかかわらず、同じクロックレートの下でのフレーム単位によるデータの伝送が保証されることになる。
そのうえでさらに、本実施の形態では、図１１により説明したように、伝送用ベースバンドデータのフレーム構造においてフレーム基準信号Srefを挿入することとしている。このフレーム基準信号Srefは、ＨＤソースとＳＤソースとで、ともに、第１フィールドの有効信号の開始位置に対して、所定クロック数分だけ前となるデータ位置に挿入されているのであるが、このことは、フレーム基準信号Srefを検出したタイミングから、一定のクロック数をカウントすれば、第１フィールドの有効信号の開始位置を確実に特定できるということを意味する。つまり、フレーム基準信号Srefは、フレーム内において、ＨＤソースとＳＤソースとで共通の意義を持つ所定の基準となるデータ位置について、フレーム周期における絶対的な時間のタイミングで検出するための信号であることになる。そこで、例えば伝送用ベースバンドデータを取り込む表示出力系信号処理部１５としては、このフレーム基準信号Srefの検出タイミングに基づいて、例えばＨＤソースとＳＤソースとに応じた垂直同期信号、水平同期信号などのタイミング信号（コントロール信号）を生成し、所定の信号処理を実行することで、例えば図６〜図９の伝送用ベースバンドデータのフレーム構造に対応した適正な信号処理を実行することが可能となる。そして、このような表示出力系信号処理部１５の処理結果として表示出力されることとなる画像については、ＨＤ／ＳＤ間でのビデオ信号データの切り換えによっても垂直同期タイミングが保たれ、乱れのない状態を得ることが可能となるものである。
つまり、本実施の形態としては、メイン信号処理部１２と表示出力系信号処理部１５との間でデータ伝送を行うのにあたり、先ずは、ＨＤ／ＳＤの信号フォーマットに対して共通の伝送用クロックVINCLKにより伝送を行い、かつ、伝送用ベースバンドデータのフレーム構造に対してフレーム基準信号Srefを挿入することで、表示出力系信号処理部１５から出力される信号を基として表示される画像についての乱れを解消するものである。
【００８０】
以降においては、これまでに説明した伝送フォーマットに対応したビデオカメラ装置１としての構成例について説明していくこととする。
先ず図１２は、メイン信号処理部１２における、表示出力系信号処理部１５に対して伝送用ベースバンドデータを伝送出力するための構成部位を主に抜き出して示しており、図示するようにして、カメラデータ処理部２１、コーデックデータ処理部２２、セレクタ２３、ＨＤベースバンド信号処理部２４、ＳＤベースバンド信号処理部２５、マルチプレクサ２６、及びタイミング信号生成部２７を有して成るものとされる。
カメラデータ処理部２１は、図１のカメラ信号処理部１１から出力される撮像ビデオ信号データを入力して、例えばベースバンド信号化にあたっての準備処理的な信号処理を実行する。また、コーデックデータ処理部２２は、コーデック処理部１３から出力されるデコード（復号）処理後のビデオ信号である、デコードビデオ信号データを入力して、同様にして、ベースバンド信号化にあたっての準備処理的な信号処理を実行する。これにより、例えばカメラ信号処理部１１からの撮像ビデオ信号データと、コーデック処理部１３からのデコードビデオ信号データは、以降のベースバンド信号化に適合した共通の信号形式に変換されることになる。
【００８１】
セレクタ２３では、信号の入出力経路についての選択を行う。例えばビデオカメラ装置１の動作モードが撮像モードとされている場合などに応じて、表示出力系信号処理部１５に対して撮像画像の信号を出力させるべき場合には、入力として、カメラデータ処理部２１の出力信号を選択する。これに対して、メディアに記録されている画像データの再生モードなどとされて、表示出力系信号処理部１５に対して、例えばメディアから読み出した画像データを元とする信号を出力させるべき場合には、コーデック処理部２２の出力信号を選択するようにされる。例えばメディアから再生した画像データを再生する場合には、メディアから読み出した圧縮符号化データについて復号処理を行うようにされ、従って、コーデック処理部２２からは、この復号処理後のデータについて処理を施した信号が出力されるものである。
また、セレクタ２３は、上記のようにして入力した信号（入力信号）が、ＨＤフォーマットに対応する形式を有している場合には、この入力信号をＨＤベースバンド信号処理部２４に対して出力するようにされる。これに対して、ＳＤフォーマットに対応する形式の入力信号の場合には、ＳＤベースバンド信号処理部２５に対して出力させるようにする。
例えば、撮像モードとして、ＨＤフォーマットにより撮像記録を行うモードが設定されていた場合には、ビデオ信号データは、例えばカメラ信号処理部２１から出力されるまでの所定段階において、ＨＤに対応する所定の信号形式となるようにして生成され、セレクタ２３の入力信号としては、ＨＤに対応する形式であることになる。これに対して、ＳＤフォーマットによる撮像記録モードが設定されていた場合であれば、セレクタ２３に入力されるまでにおいて、ＳＤに対応する所定の信号形式となるようにして生成されていることになるものである。
また、メディアから読み出された画像データが、ＨＤフォーマットによるものである場合には、セレクタ２３の入力信号としては、ＨＤフォーマットに対応することになり、ＳＤフォーマットによるものである場合には、セレクタ２３の入力信号はＳＤフォーマットに対応することになる。
【００８２】
ＨＤベースバンド信号処理部２４では、タイミング信号生成部２７から供給されるタイミング信号群Stm_HDに基づいて、セレクタ２３側から入力されるビデオ信号データについての、ベースバンドデータ化に関する所定の信号処理を実行する。なお、このタイミング信号群Stm_HDは、所定の１以上のタイミング信号を一括して示したものとされる。
ＨＤベースバンド信号処理部２４における信号処理としては、先ず、入力されるビデオ信号データについて、図２（ａ）に示した基本ベースバンドデータのデータ配列による信号に変換するようにされる。このときには、タイミング信号として、周波数が56MHzのクロックと、このクロックに同期した、垂直／水平同期信号（垂直／水平コントロール信号）などを利用するようにされる。次に、この基本ベースバンドデータの信号について、ＮＴＳＣ方式に対応しては、図２（ｂ）及び図４（ａ）に示されるデータ配列によるベースバンドデータの信号に変換し、ＰＡＬ方式に対応しては、図２（ｂ）及び図５（ａ）に示されるデータ配列によるベースバンドデータの信号に変換する。なお、この信号については、ＣＣＩＲ  ＲＥＣ６５６のフォーマットに対応するＥＡＶ、ＳＡＶなどのコードや、フレーム基準信号Srefのコードなどは挿入されていないものとされる。また、この処理のためには、周波数が112MHzのクロック（伝送用クロックVINCLK）と、このクロックに同期した、ＮＴＳＣ−ＨＤあるいはＰＡＬ−ＨＤに対応する垂直／水平同期信号（垂直／水平コントロール信号）などを利用するようにされる。そして、このようにして生成したベースバンドデータの信号を、信号HD_SIGとしてマルチプレクサ２６に出力するようにされる。
【００８３】
また、ＳＤベースバンド信号処理部２５では、タイミング信号生成部２７から供給されるタイミング信号群Stm_SDに基づいて、セレクタ２３側から入力されるビデオ信号データについての、ベースバンドデータ化に関する所定の信号処理を実行する。このタイミング信号群Stm_SDも、上記タイミング信号群Stm_HDと同様に、所定の１以上のタイミング信号を一括して示したものである。
ＳＤベースバンド信号処理部２５における信号処理としては、先ず、タイミング信号として、周波数が13.5MHzのクロックと、このクロックに同期した、垂直／水平同期信号（垂直／水平コントロール信号）などを利用して、入力されるビデオ信号データについて、図２（ｂ）に示した基本ベースバンドデータのデータ配列による信号に変換する。次に、この基本ベースバンドデータの信号について、ＮＴＳＣ方式に対応しては、図２（ｂ）及び図４（ｂ）に示されるデータ配列によるベースバンドデータの信号に変換し、ＰＡＬ方式に対応しては、図２（ｂ）及び図５（ｂ）に示されるデータ配列によるベースバンドデータの信号に変換する。なお、この信号としても、ＥＡＶ、ＳＡＶなどのコードや、フレーム基準信号Srefのコードなどは未だ挿入されていない構造であるものとされる。また、この処理に際しても、周波数が112MHzのクロック（伝送用クロックVINCLK）と、このクロックに同期したＮＴＳＣ−ＳＤあるいはＰＡＬ−ＳＤに対応の垂直／水平同期信号（垂直／水平コントロール信号）などを利用するようにされる。そして、このようにして生成したベースバンドデータの信号を、信号SD_SIGとしてマルチプレクサ２６に出力するようにされる。
【００８４】
マルチプレクサ２６に対しては、信号HD_SIG、信号SD_SIGの何れか一方が入力されることになる。マルチプレクサ２６では、タイミング信号生成部２７から供給されるタイミング信号群Stm_M、及びタイミング信号群Stm_Mにおける112MHzのクロックに同期した基準フレーム信号Ref_112Mを利用して、伝送用ベースバンドデータを生成して伝送出力するための信号処理を実行する。
上記信号処理として、マルチプレクサ２６にＮＴＳＣ−ＨＤソースに対応する信号HD_SIGが入力されているときには、この信号HD_SIGについて図６に示したフレーム構造の伝送用ベースバンドデータに変換するようにされる。このフレーム構造を得る際において、図６により説明したＳＡＶ、ＥＡＶとしてのビットパターンの挿入を行うようにされる。さらに、図１１により説明したデータ位置に対して、フレーム基準信号Srefのコードを挿入する処理も実行するようにされる。そして、このような信号処理の結果により得られた信号を、伝送用ベースバンドデータとして、８ビットパラレルの表示出力系伝送路２０から、112MHzの伝送用クロックに同期して出力させる。このとき、タイミング信号としては、例えば112MHzのクロックと、これに同期したＮＴＳＣ−ＨＤ対応の水平／垂直コントロール信号などを使用するようにされる。
【００８５】
また、ＮＴＳＣ−ＳＤソースに対応する信号SD_SIGが入力されているときには、図７に示したフレーム構造の伝送用ベースバンドデータに変換し、図１１により説明したデータ位置に対して、フレーム基準信号Srefのコードを挿入する処理を実行するようにされる。そして、この信号を、伝送用ベースバンドデータとして表示出力系伝送路２０から出力させる。この処理にあたっては、タイミング信号として、112MHzのクロックと、これに同期したＮＴＳＣ−ＳＤ対応の水平／垂直コントロール信号などを使用するようにされる。
【００８６】
同様にして、ＰＡＬ−ＨＤソースに対応する信号HD_SIGが入力されているときには、図８に示したフレーム構造の伝送用ベースバンドデータに変換し、フレーム基準信号Srefのコードを挿入して、伝送用ベースバンドデータとして表示出力系伝送路２０から出力させる。また、ＰＡＬ−ＳＤソースに対応する信号SD_SIGが入力されているときには、図９に示したフレーム構造の伝送用ベースバンドデータに変換し、フレーム基準信号Srefのコードを挿入して、伝送用ベースバンドデータとして表示出力系伝送路２０から出力させるようにされる。
このときに利用するタイミング信号としては、112MHzのクロックと、これに同期したＰＡＬ−ＨＤあるいはＰＡＬ−ＳＤに対応の水平／垂直コントロール信号などとされる。
【００８７】
図１３は、上記図１２の構成によるメイン信号処理部１２における、伝送用ベースバンドデータとして、伝送出力すべきソースがＨＤからＳＤに切り換わるときの動作タイミングを示している。
例えば表示出力系に伝送出力すべきソースをＨＤからＳＤに切り換えるべきことになったとする。このような場合としては、例えばメディアから再生している画像データの信号フォーマットがＨＤからＳＤに切り換わったことに応じて、デコードビデオ信号データの信号フォーマットもＨＤからＳＤに切り換わったような場合を挙げることができる。また、他には、例えば撮像記録モード中において、撮像画像の品位設定がＨＤからＳＤに切り換えられた場合、また、ＨＤによる撮像モードの下でモニタ画像を表示させていた状態から、メディアに対する読み出しにより得られた画像データの再生表示に移行し、このときにメディアから再生される画像データがＳＤフォーマットとされるような場合、また、逆に、ＳＤフォーマットの再生画像を表示させていた状態から、ＳＤによる撮像モードでのモニタ画像表示に切り換えられたような場合などを考えることができる。
【００８８】
セレクタ２３は、上記したようなＨＤからＳＤへの信号フォーマットの切り換わりに応じて、必要があれば、入力の切り換えを行うようにされるとともに、これまでのＳＤベースバンド信号処理部２５に対するＳＤソースの信号の出力から、ＨＤベースバンド信号処理部２４に対するＨＤソースの信号出力に切り換えるように動作する。この結果、マルチプレクサ２６に対する信号入力のタイミングは、図１３に示されるようにして、例えば信号HD_SIGとしてフレームデータＨＤ１、ＨＤ２が入力されていた状態に続けて、信号SD_SIGとしてフレームデータＳＤ１、ＳＤ２ＳＤ４・・・が入力されるものとなる。
また、この場合において、同じマルチプレクサ２６に対して供給される基準フレーム信号Ref_112Mのフレーム同期タイミングは、図示しているように、マルチプレクサ２６に入力される信号HD_SIG、SD_SIGのフレーム同期タイミングに対して、時間ｔｄ１だけ遅延するものとして設定されている。
【００８９】
マルチプレクサ２６では、上記フレーム同期タイミングによる基準フレーム信号Ref_112Mに従って、先に述べた、伝送用ベースバンドデータを生成するための信号処理を実行して、112MHzの伝送用クロックに同期させたタイミングで伝送出力を行う。そして、この図の場合のようにして、マルチプレクサ２６に入力される信号が、ＨＤソースからＳＤソースに切り換わったとされる場合には、同じ図１３の伝送用ベースバンドデータとして示すように、基準フレーム信号Ref_112Mに対応するフレーム同期タイミングにより、フレームデータＨＤ１、ＨＤ２、ＳＤ１、ＳＤ２、ＳＤ３の順により連続してマルチプレクサ２６から出力するようにされる。なお、基準フレーム信号Ref_112Mに対応するフレーム同期タイミングに対して、マルチプレクサ２６からの出力である伝送用ベースバンドデータのフレームデータ間の区切り位置が時間ｔｄ２の分だけ遅延しているのは、マルチプレクサ２６の内部処理時間によるものである。
なお、確認のために述べておくと、ＳＤソースからＨＤソースに信号が切り換わった場合においても、図１３と同様に、フレームデータが連続するようにしてＨＤソースからＳＤソースへの切り換えが行われるものである。
【００９０】
次に、図１４により、表示出力系信号処理部１５の内部構成例を示す。なお、ここでは、説明を簡単で分かりやすいものとするために、ラインアウト端子１９からＹ信号、Ｃ信号セパレート信号を出力するための系を抜き出して示す。
表示出力系伝送路２０を経由して伝送されてくる伝送用ベースバンドデータは、先ず入力処理部３１に入力される。
入力処理部３１は、図示するようにして、ＨＤデマルチプレクサ４１、ＳＤデマルチプレクサ／クロック変換部４２、及び基準信号分離／クロック変換部４３を備えるものとされており、伝送用ベースバンドデータは、これらの部位に対して分岐して入力することができるようになっている。
【００９１】
先ず、ＨＤデマルチプレクサ４１では、入力される伝送用ベースバンドデータがＨＤソースである場合に、その伝送用ベースバンドデータの取り込みを行い、ＨＤフォーマットの基本ベースバンドデータに対応する形式の、５６ＭＨｚのクロックに同期した輝度信号データＹ及び色差信号データ（Ｃｂ、Ｃｒ）を得るようにされる。
【００９２】
上記ＨＤデマルチプレクサ４１における信号処理例を、図１５のタイミングチャートにより説明しておく。
この図において、ＨＤデマルチプレクサ４１に入力されるＨＤソースの信号は、入力信号HD_VINとして示されている。この入力信号HD_VINは、クロック周波数ｆcl＝112MHzの伝送用クロックVINCLKに対して、図のようにして同期して入力されるものとなっている。つまり、伝送用クロックVINCLKの１周期（１ｃｌｋ）ごとに、各８ビットの色差信号データＣｂ、輝度信号データＹ、色差信号データＣｒ、輝度信号データＹの順により、データが繰り返される形式とななる。確認のために述べておくと、この入力信号HD_VINと、伝送用クロックVINCLKとの関係は、図２（ｂ）に示したデータ配列に対応するものである。
また、ＨＤデマルチプレクサ４１では、伝送用クロックVINCLKを基として、入力信号HD_VINから検出したＳＡＶ、ＥＡＶのタイミングに基づいて、伝送用クロックVINCLKに対して１／２の周波数（56MHz）で同期するようにされた２つのタイミング信号（タイミングパルス）1stpls、2stplsを生成するようにされる。このタイミング信号1stpls、2stplsは、互いに１８０°の位相差を有する関係となるようにされており、入力信号HD_VINとの関係としては、タイミング信号1stplsのＨレベルパルスが、色差信号データＣｂ，Ｃｒのタイミングと一致するようにされ、一方のタイミング信号2stplsのＨレベルパルスが、輝度信号データＹのタイミングと一致するようにされている。
【００９３】
そして、ＨＤデマルチプレクサ４１では、入力信号HD_VINについて、伝送用クロックVINCLKにより２段（2clk）遅延させることにより、信号HD_VIN_2dを生成する。そして、この信号HD_VIN_2dを、タイミング信号1stplsのＨレベルによりラッチすることで、その出力として、信号HD_VIN_2d_1stplsを得るようにされる。この信号HD_VIN_2d_1stplsは、図示するようにして、伝送用クロックVINCLK （ｆcl＝112MHz）の２clkの期間ごとに、色差信号データＣｂ、Ｃｒが得られるものとなっている。つまり、この段階で、入力信号HD_VINから色差信号データＣｂ、Ｃｒが取り出されたことになるものである。そして、この信号HD_VIN_2d_1stplsについて、伝送用クロックVINCLK （ｆcl＝112MHz）により５段（5clk）遅延させることで、信号HD_VIN_2d_1stpls_5dとしての信号タイミングを設定しておくようにされる。
【００９４】
また、ＨＤデマルチプレクサ４１は、信号HD_VIN_2dについて、タイミング信号2stplsのＨレベルのタイミングでのラッチも行うようにされる。このラッチ出力が、入力信号HD_VINから輝度信号データＹを取り出したとされる、信号HD_VIN_2d_2stplsとなるものである。この信号HD_VIN_2d_2stplsについては、伝送用クロックVINCLK （ｆcl＝112MHz）により４段（4clk）遅延させて、信号HD_VIN_2d_2stpls_4dとしてのタイミングとしておくようにされる。
【００９５】
ここまでの処理により、入力信号HD_VINからは、色差信号データＣｂ、Ｃｒと、輝度信号データＹがそれぞれ個別に取り出され、かつ、信号HD_VIN_2d_1stpls_5d、HD_VIN_2d_2stpls_4dとして示すように、色差信号データＣｂ、Ｃｒと、輝度信号データＹのタイミングも一致するようにされる。
【００９６】
そこで、ＨＤデマルチプレクサ４１では、伝送用クロックVINCLK （ｆcl＝112MHz）を２分周したクロックDMLCK56（56MHz）を生成し、このクロックDMLCK56により、上記信号HD_VIN_2d_1stpls_5d、HD_VIN_2d_2stpls_4dの同期をとるようにされる。この結果、図示するようにして、56MHzのクロックDMLCK56に同期して、1clkあたり各８ビットの色差信号データ（Ｃｂ、Ｃｒ）と、輝度信号データＹのシーケンスが得られることになる。そして、この色差信号データと輝度信号データのシーケンスが、それぞれ信号C_56M、Y_56Mとされ、ＨＤデマルチプレクサ４１の出力として得られるようにされる。これら信号C_56M、Y_56Mの形式は、図２（ａ）に示したＨＤソースの基本ベースバンドデータに対応したものとなる。
【００９７】
また、ＳＤデマルチプレクサ／クロック変換部４２は、デマルチプレクサと、その後段のクロック変換部とから成るものとされ、ＳＤソースの伝送用ベースバンドデータの取り込みを行い、先ずは、デマルチプレクサにより、図３（ａ）に示した形式とされる、５６ＭＨｚのクロックに同期した輝度信号データＹ及び色差信号データ（Ｃｂ、Ｃｒ）を得るようにされる。そのうえで、この５６ＭＨｚのクロックに同期した輝度信号データＹ及び色差信号データ（Ｃｂ、Ｃｒ）について、２７ＭＨｚのクロックに同期させるためのクロック変換処理を実行するようにされる。
【００９８】
このＳＤデマルチプレクサ／クロック変換部４２におけるデマルチプレクサの信号処理例を、図１６のタイミングチャートに示す。
ＳＤデマルチプレクサ／クロック変換部４２のデマルチプレクサに入力されるＳＤソースの信号である入力信号SD_VINは、図示するようにして、クロック周波数ｆcl＝112MHzによる伝送用クロックVINCLの４clkごとに、色差信号データＣｂ、輝度信号データＹ、色差信号データＣｒ、輝度信号データＹの順の繰り返しで入力されてくるものとなっている。つまり、入力信号SD_VINは、図３（ｂ）に示したデータ配列の形式とされて、１clkあたり8ビットのデータを連続する４ｃｌｋの区間ごとにより、４回多重化して伝送されてくるものである。
また、この場合のタイミング信号1stpls、2stplsは、入力信号SD_VINから検出したＳＡＶ、ＥＡＶのタイミングに基づいて、伝送用クロックVINCLKに対して１／８の周波数（14MHz）で同期するようにされた信号として生成される。このタイミング信号1stpls、2stplsとしても、互いに位相が１８０°異なるものとされている。入力信号SD_VINとの関係としては、タイミング信号1stplsのＨレベルパルスが、4回多重化される色差信号データＣｂ，Ｃｒのシーケンスにおける３回目のタイミングと一致するようにされ、一方のタイミング信号2stplsのＨレベルパルスは、４回多重化される輝度信号データＹのシーケンスにおける３回目のタイミングと一致するようにされている。
【００９９】
次に、ＳＤデマルチプレクサ／クロック変換部４２のデマルチプレクサでは、入力信号SD_VINについて、伝送用クロックVINCLKにより２段（2clk）遅延させることにより、信号SD_VIN_2dを生成するようにされ、さらに、この信号SD_VIN_2dを、タイミング信号1stplsのＨレベルによりラッチすることで信号SD_VIN_2d_1stplsを得るようにされる。これにより、入力信号SD_VINから色差信号データＣｂ、Ｃｒが取り出されたことになる。そして、この信号SD_VIN_2d_1stplsについて、伝送用クロックVINCLK（ｆcl＝112MHz）により１３段（13clk）遅延させて、信号SD_VIN_2d_1stpls_13dとしての信号タイミングを設定しておくようにされる。
また、入力信号SD_VINから輝度信号データＹを取り出すために、信号SD_VIN_2dについてタイミング信号2stplsのＨレベルのタイミングによるラッチを行って信号SD_VIN_2d_2stplsを得るようにされる。そして、この信号SD_VIN_2d_2stplsについては、伝送用クロックVINCLK（ｆcl＝112MHz）により９段（９clk）遅延させることで、信号SD_VIN_2d_2stpls_4dとしてのタイミングを得ておくようにされる。
このようにして、信号SD_VIN_2d_1stpls_5d、SD_VIN_2d_2stpls_4dが得られることで、入力信号SD_VINから色差信号データＣｂ、Ｃｒと、輝度信号データＹがそれぞれ個別に取り出され、かつ、色差信号データＣｂ、Ｃｒと、輝度信号データＹのタイミングとで一致したタイミングが得られるようにされる。
【０１００】
次にＳＤデマルチプレクサ／クロック変換部４２のデマルチプレクサは、伝送用クロックVINCLK（ｆcl＝112MHz）を２分周したクロックDMLCK56（56MHz）を生成し、このクロックDMLCK56により、上記信号SD_VIN_2d_1stpls_5d、SD_VIN_2d_2stpls_4dの同期を図る。この結果、図示するようにして、56MHzのクロックDMLCK56に同期して、８ビットの色差信号データ（Ｃｂ、Ｃｒ）が４ｃｌｋごとに４回多重化されたシーケンスによる信号C_56Mと、輝度信号データＹが４ｃｌｋごとに４回多重化されたシーケンスによる信号Y_56Mとが並行したタイミングで得られることになる。これら信号C_56M、Y_56Mの形式は、図３（ａ）に示した56MHzクロックに同期したベースバンドデータに対応したものとなる。
【０１０１】
そして、ＳＤデマルチプレクサ／クロック変換部４２のデマルチプレクサは、上記のようにして得られた信号C_56M、Y_56Mを、同じＳＤデマルチプレクサ／クロック変換部４２のクロック変換処理部に出力するようにされる。クロック変換処理部においては、入力した信号C_56M、Y_56Mについて、27MHzのクロックに従った所定タイミングでのラッチなどを実行することで、27MHzのクロックに同期した、色差信号データ（Ｃｂ，Ｃｒ）による信号C_27Mと、輝度信号データＹによる信号Y_27Mを生成する。この信号C_27Mと信号Y_27Mは、27MHzのクロックの1clkのタイミングにおいては、各８ビットの輝度信号データＹと色差信号データ（Ｃｂ，Ｃｒ）が得られる、１６ビットパラレルの形式とされる。そして、この信号C_27M、Y_27Mを、ＳＤデマルチプレクサ／クロック変換部４２の出力信号とする。
【０１０２】
また、図１４において、同じ入力処理部３１における基準信号分離／クロック変換部４３においては、伝送用ベースバンドデータを入力して、図１１により説明したフレーム基準信号Srefを検出するようにされる。
このようにして検出されるフレーム基準信号Srefは、図１１からも分かるように、112MHzの伝送用クロックVINCLKのもとで、各フレームデータにおける第１フィールドの有効信号区間を示す信号となる。基準信号分離／クロック変換部４３においては、いわゆるクロックの載せ換え（クロック変換）といわれる処理によって、このフレーム基準信号Srefを２７MHzのクロックに同期させた内部フレーム基準信号Ref_27Mを生成するようにされる。この内部フレーム基準信号Ref_27Mは、27MHzのクロックタイミングのもとで第１フィールドの有効信号区間を示す信号となるものである。基準信号分離／クロック変換部４３は、この内部フレーム基準信号Ref_27Mを、タイミング信号生成部３７に対して出力するようにされる。
タイミング信号生成部３７では、例えば内部フレーム基準信号Ref_27Mなどを利用して、ダウンコンバータ部３２に対して供給すべきタイミング信号群Stm_DWや、Ｙ／Ｃ出力用信号処理部３４に供給すべき内部フレーム基準信号Ref_13.5Mを生成する。
【０１０３】
ＨＤデマルチプレクサ４１の出力信号である、信号C_56M、Y_56Mは、ダウンコンバータ部３２におけるダウンコンバータ／クロック変換部５１に対して入力される。また、ＳＤデマルチプレクサ／クロック変換部４２の出力信号である信号C_27M、Y_27Mは、ダウンコンバータ部３２における遅延回路５２に対して入力される。
【０１０４】
ダウンコンバータ／クロック変換部５１に入力された信号C_56M、Y_56Mは、ＮＴＳＣ方式であれば図４（ａ）等に示され、ＰＡＬ方式であれば図５（ａ）等に示されるフレーム構成を有するＨＤフォーマットの信号である。そこで、ダウンコンバータ／クロック変換部５１では、このＨＤフォーマットの信号C_56M、Y_56Mを、図４（ｂ）若しくは図５（ｂ）に示されるＳＤフォーマットのフレーム構造に変換するというダウンコンバート処理を実行する。なお、このダウンコンバート処理については、これまでに知られている信号処理技術が採用されればよい。そして、このダウンコンバートの処理とともに、ＳＤフォーマットのフレーム構造とされた信号について、27MHzのクロック（あるいは13.5MHzのクロックでもよい）へのクロック乗り換えの処理を行うようにされる。
【０１０５】
例えば、このようなダウンコンバートの処理において、伝送用ベースバンドデータに挿入されていたフレーム基準信号Srefに基づいて生成された内部フレーム基準信号Ref_27Mを、有効に利用することができる。つまり、ダウンコンバートによりＳＤフォーマットに変換を行う際に、内部フレーム基準信号Ref_27Mにより特定した２７MHzのクロック環境の下での第１フィールドの有効信号区間の開始位置のタイミングに基づいて、例えば垂直ブランキング区間、さらには水平ブランキング区間のタイミングを適正に設定することが可能になるものである。
上記のようにして、ダウンコンバータ／クロック変換部５１にてダウンコンバートされ、クロック乗り換えが行われた輝度信号データと色差信号データは、セレクタ５３に対して入力される。
【０１０６】
ここで、ダウンコンバータ／クロック変換部５１の処理は比較的重いことから、ＨＤデマルチプレクサ４１やＳＤデマルチプレクサ／クロック変換部４２などと比較して、相応に長い処理時間を必要とする。従って、伝送用ベースバンドデータが入力処理部に入力されてから、ＳＤソースに対応するＳＤデマルチプレクサ／クロック変換部４２の処理を経て出力される信号に対して、ＨＤソースに対応するＨＤデマルチプレクサ４１からダウンコンバータ／クロック変換部５１までの処理を経由して出力される信号は、相当の遅延を生じる。つまり、出力時間差を生じる。
ＳＤデマルチプレクサ／クロック変換部４２から出力される信号C_27M、Y_27Mは、既にＳＤフォーマットとされており、かつ、27MHzのクロックに同期した信号であることから、ダウンコンバート及びクロック乗り換え処理の必要はない。しかしながら、ＨＤソースとＳＤソースとの間でのフレーム同期タイミングを一致させるには、上記したＨＤソースの系についての出力時間差をキャンセルしておく必要がある。
そこで、遅延回路５２について上記ＨＤソースの系における出力時間差に応じた遅延時間を設定し、信号C_27M、Y_27Mを遅延させて出力させたうえで、セレクタ５３に入力させるようにしている。これにより、セレクタ５３に入力される段階では、ＨＤフォーマットの信号をダウンコンバートして得られたＳＤフォーマットの信号（ダウンコンバートＳＤ信号）と、遅延回路５２から出力された、ダウンコンバートされないＳＤフォーマットの信号（遅延ＳＤ信号）とのフレーム同期タイミングは一致することになる。
【０１０７】
セレクタ５３には、ダウンコンバートＳＤ信号と遅延ＳＤ信号の何れかが入力されてくることになる。そこで、セレクタ５３は、この入力されている信号のほうを選択して、13.5MHzのクロックに同期させて、信号Y_13.5M、C_13.5Mとして、Ｙ／Ｃ出力用信号処理部３４に出力するようにされる。
【０１０８】
Ｙ／Ｃ出力用信号処理部３４では、セレクタ５３から入力されてくる信号Y_13.5M、C_13.5Mについて、ラインアウト端子１９から出力させるべきＹ／Ｃのセパレート信号に対応するデジタルのＹ信号とＣ信号である、信号LN_Y、LN_Cを生成して出力するようにされる。この信号LN_Y、LN_Cの生成にあたっては、タイミング信号生成部２７から供給される内部フレーム基準信号Ref_13.5Mを利用する。この内部フレーム基準信号Ref_13.5Mは、タイミング信号生成部２７において、内部フレーム基準信号Ref_27Mを基として生成したものであり、従って、信号LN_Y、LN_Cとしても、適正な垂直ブランキング区間が設定されたものを得ることが可能になる。
【０１０９】
この場合のラインアウト端子１９からは、Ｙ信号とＣ信号によるアナログのセパレート信号を出力することとされており、実際としては、Ｙ信号とＣ信号のそれぞれに応じた端子１９ａ、１９ｂを備える。そして、上記信号LN_Y、LN_Cは、それぞれＤ／Ａ変換器３５、３６によりアナログ信号に変換されたうえで、アナログのＹ信号、Ｃ信号として、上記端子１９ａ、１９ｂから出力される。
【０１１０】
上記図１４に示される構成の表示出力系信号処理部１５が実行する信号処理として、表示出力系伝送路２０経由で入力される伝送用ベースバンドデータが、ＨＤソースからＳＤソースに切り換わるとされる場合の動作例を、図１７のタイミングチャートに示す。
先ず、この図においては、伝送用ベースバンドデータについて、フレームデータＨＤ１、ＨＤ２、ＳＤ１、ＳＤ２、ＳＤ３・・・の順により表示出力系信号処理部１５の入力処理部３１に対して入力されているものとしている。フレームデータＨＤ１、ＨＤ２は、ＨＤソースであり、フレームデータＳＤ１、ＳＤ２、ＳＤ３・・・はＳＤソースとなる。つまり、この場合には、フレームデータＨＤ２の次のフレームからＳＤソースに切り換わっているものであり、これは、先に図１３により例示した伝送用ベースバンドデータが入力されているものとしてみることができる。
【０１１１】
図１４の構成によれば、入力処理部３１に対して入力されたＨＤソースの伝送用ベースバンドデータは、ＨＤデマルチプレクサ４１により、信号C_56M、Y_56Mとして出力されることになる。この図では、先ず、伝送用ベースバンドデータのフレームデータＨＤ１、ＨＤ２が信号C_56M、Y_56Mとして出力されることになるが、この信号C_56M、Y_56MとしてのフレームデータＨＤ１、ＨＤ２は、伝送用ベースバンドデータのフレームデータＨＤ１、ＨＤ２に対して、ＨＤデマルチプレクサ４１における信号処理時間に対応する時間tdmhだけ遅延したタイミングで出力される。
また、伝送用ベースバンドデータのフレームデータＨＤ２に続けて入力されるＳＤソースのフレームデータＳＤ１、ＳＤ２、ＳＤ３・・・は、ＳＤデマルチプレクサ／クロック変換部４２により信号C_27M、Y_27Mとして出力されるが、この信号C_27M、Y_27MのフレームデータＳＤ１、ＳＤ２、ＳＤ３・・・は、伝送用ベースバンドデータに対して、ＳＤデマルチプレクサ／クロック変換部４２による信号処理時間に対応する時間tdmsだけ遅延したタイミングで出力される。
【０１１２】
上記伝送用ベースバンドデータの入力に応じては、基準信号分離／クロック変換部４３が、フレームデータから分離したフレーム基準信号Srefに基づいて、内部フレーム基準信号Ref_27Mを出力するようにされるが、この内部フレーム基準信号Ref_27Mのフレーム同期タイミングとしては、例えば図示するようにして、信号C_27M、Y_27Mのフレームタイミングに同期したものとなるようにされている。なお、この内部フレーム基準信号Ref_27Mの１フレーム期間を成すクロック数は、ＮＴＳＣ方式では、858×525×2＝900900clkとなり、ＰＡＬ方式では、864×625×2＝10800clkとなる。そして、この内部フレーム基準信号Ref_27Mによるフレーム同期タイミングは、入力元の伝送用ベースバンドデータに挿入されるフレーム基準信号Srefのタイミングに基づいたものとされることで、ＨＤ／ＳＤの間でのフォーマットの切り換えに対しても乱れることなく、一定間隔を保つことになる。
【０１１３】
次に、ダウンコンバータ／クロック変換部５１では、上記信号C_56M、Y_56Mを入力して、ダウンコンバート及び27MHzのクロックへの乗り換え処理を実行して、ダウンコンバートＳＤ信号を生成するが、フレームデータＨＤ１、ＨＤ２に対応する、ダウンコンバートＳＤ信号のフレームデータＳＤhd1、ＳＤhd2としては、図示するようにして、信号C_56M、Y_56MのフレームデータＨＤ１、ＨＤ２に対して、ダウンコンバータ／クロック変換部５１による信号処理時間に対応する時間ｔdwだけ遅延したタイミングで出力されることになる。
これに対応させて、伝送用ベースバンドデータの段階からＳＤソースとされる信号C_27M、Y_27MのフレームデータＳＤ１、ＳＤ２、ＳＤ３については、遅延回路５２にて設定される遅延時間tdlだけ遅延されて出力されることになる。この遅延時間tdlは、
tdl＝（tdmh＋tdw）−tdms
により求めることができる。
そして、このようにして、信号C_27M、Y_27Mについての遅延出力が行われる結果、ダウンコンバートＳＤ信号としてのフレームデータＳＤhd2の終端に続くようにして、遅延回路５２から出力されたフレームデータＳＤ１が開始されるタイミングを得ることができる。そして、セレクタ５３から出力される信号Y_13.5M、C_13.5Mとしては、図示するようにして、フレームデータＳＤhd1、ＳＤhd2、ＳＤ１、ＳＤ２、ＳＤ３・・・の順で連続することになる。つまり、ＨＤソースをダウンコンバートした後においても、ＨＤ／ＳＤの切り換え前後のフレームデータについて間隔が空いたり、重複したりするようなことにはならず、フレームデータの正常な連続性が維持される。
そして、Ｙ／Ｃ出力用信号処理部３４では、例えば信号Y_13.5M、C_13.5Mについて、内部フレーム基準信号Ref_13.5Mに従ったタイミングで、デジタルのＹ信号とＣ信号である、信号LN_Y、LN_Cを生成するようにされる。図においては、信号LN_Yが示されている。この信号LN_Yとしては、内部フレーム基準信号Ref_13.5Mが示すフレーム周期のタイミングに対して、信号LN_Yを生成するための処理時間分だけ遅延したフレーム周期のタイミングにより出力されることになる。ちなみに、この場合の信号LN_Yは、インターレース方式であることに応じて、１フレーム期間内において、第１フィールドと第２フィールドの信号区間が在るようにされる。この信号LN_Yのタイミングからも、本実施の形態では、ＨＤ／ＳＤの切り換えに関わらず、ビデオ信号のフレーム周期のタイミング（垂直同期信号タイミング）が維持される。
【０１１４】
なお、図示による説明は省略するが、表示出力系信号処理部１５におけるＤ端子１８に対するＹ／Ｐｂ／Ｐｒ形式のデジタルビデオ信号データ出力と、表示部１６及びビューファインダ１７に対するＲ／Ｇ／Ｂ形式の表示用ビデオ信号データ出力のための信号系についても、上記図１４により説明した構成に準じて、伝送用ベースバンドデータのＨＤ／ＳＤの切り換わりに対して、フレームが正常に連続して信号が出力されるようにして構成されることになる。
Ｄ端子１８から信号を出力する系であれば、図１４におけるＹ／Ｃ出力用信号処理部３４に代えて、例えば入力される信号Y_13.5M、C_13.5Mについて、Ｙ／Ｐｂ／Ｐｒ形式のデジタルビデオ信号データに変換する信号処理部を設けることとして、この信号処理部により得られた上記Ｙ／Ｐｂ／Ｐｒ形式のデジタルビデオ信号データを、Ｄ端子１８から出力させることとすればよい。
また、表示部１６及びビューファインダ１７に対するＲ／Ｇ／Ｂ形式の表示用ビデオ信号データ出力のための信号系であれば、Ｙ／Ｃ出力用信号処理部３４に代えて、入力される信号Y_13.5M、C_13.5Mについて、表示部１６あるいはビューファインダ１７の画面サイズなどに適合した解像度のＲ／Ｇ／Ｂ形式の表示用ビデオ信号データに変換する信号処理部を設けることとして、この信号処理部により得られた信号を、表示部１６、ビューファインダ１７に出力するようにされる。
【０１１５】
また、これまでの実施の形態での説明においては、４：２：２によるＹ／Ｃｂ／Ｃｒ形式のＨＤ／ＳＤの両フォーマットのベースバンドデータ（ベースバンド信号）を、ＨＤ方式の基本ベースバンドデータのデータクロックの２倍の周波数である112MHzの伝送クロックにより伝送する場合を例に挙げている。しかしながら、伝送路（表示出力系伝送路２０）のビット数（ピン端子数）を削減しなくともよいという条件であれば、ＨＤ方式の基本ベースバンドデータの伝送クロックである56MHzにより伝送することとしてもよいものである。
また、上記とは逆に、例えば112MHzより高いクロック周波数で、224MHz、448MHzなど、56MHzに対して２のべき乗となる係数を乗算したクロック周波数とすることも考えられる。このようにして伝送用クロックのクロック周波数を高く設定すれば、その分、伝送路のビット数は削減されていくことになる。また、この考え方を推し進めれば、本願発明はパラレル伝送のみではなく、シリアル伝送にも適用することができる。また、このことからすると、本実施の形態では、ＣＣＩＲ  ＲＥＣ６５６に準拠して伝送を行っているが、パラレル伝送とシリアル伝送とで、それぞれにおいて規定される他の伝送規格が採用されて構わないものである。
【０１１６】
また、ベースバンドデータの形式についても、４：２：２によるＹ／Ｃｂ／Ｃｒ形式に限定されるものではなく、例えば、４：１：１、４：２：０など他のサンプリング方式が採られてもよい。また、Ｙ／Ｐｂ／Ｐｒ形式、Ｒ／Ｇ／Ｂ形式などの信号形式であってもよい。
また、この場合においては、ＮＴＳＣ方式あるいはＰＡＬ方式の下での、ＨＤフォーマット、ＳＤフォーマットの間での信号の切り換えが行われることを前提にしているが、前提となるテレビジョン方式としては、ＮＴＳＣ、ＰＡＬ以外の方式とされてもよい。また、現状ではＨＤ／ＳＤの２つの信号フォーマット（画質品位フォーマット）が規定されている状況にあるが、例えば将来的に３以上の画質品位フォーマットが規定されたような場合においては、これら３以上のフォーマット間での切り換えに対応して本願に基づいた構成を採ることは可能である。
【０１１７】
また、フレーム基準信号Srefについての伝送にあたっては、フレーム基準信号Srefを、伝送用ビデオ信号データに挿入するのではなく、表示出力系伝送路２０として、フレーム基準信号Sref伝送用のラインを追加して、このフレーム基準信号伝送用ラインにより、伝送用ビデオ信号データの伝送に同期させて、例えば図１１に示したのと同様のタイミングでフレーム基準信号Srefを送信出力させるような構成を採ることも考えられる。この場合には、伝送用ビデオ信号データの受け側（表示出力系信号処理部１５）において、伝送用ビデオ信号データからフレーム基準信号Srefを分離するための回路構成を省略することができる。
【０１１８】
また、実施の形態においては、ビデオカメラ装置１としての装置内における、メイン信号処理部１２と表示出力系信号処理部１５としてのＬＳＩされるデバイス間でのビデオ信号伝送を行う場合を例にしているが、例えば、互いに異なる個別の装置間におけるビデオ信号伝送にも本願発明は適用できる。
また、この場合におけるビデオ信号伝送は、表示出力信号処理系に対してベースバンド信号を伝送するものとされているが、例えば記録信号処理系に対するデータ伝送などに本願を適用することも考えられる。
また、実施の形態では、ビデオカメラ装置に本願発明を適用しているのであるが、例えばテレビジョン受像機やビデオレコーダなど、ビデオ信号を処理する他の装置や、複数装置から成るシステムに本願発明を適用することもできる。
【図面の簡単な説明】
【０１１９】
【図１】本発明の実施の形態としてのビデオカメラ装置の構成例を示す図である。
【図２】ＨＤソースのベースバンドデータフォーマット例として、Ｙ、Ｃｂ、Ｃｒのデータ配列を示す図である。
【図３】ＳＤソースのベースバンドデータフォーマット例として、Ｙ、Ｃｂ、Ｃｒのデータ配列を示す図である。
【図４】ＮＴＳＣ方式でのＨＤ／ＳＤソースのベースバンドデータフォーマットにより規定される、フレーム内の水平ライン構成を示す図である。
【図５】ＰＡＬ方式でのＨＤ／ＳＤソースのベースバンドデータフォーマットにより規定される、フレーム内の水平ライン構成を示す図である。
【図６】ＮＴＳＣ−ＨＤソースについて、ベースバンドデータの伝送フォーマットを示す図である。
【図７】ＮＴＳＣ−ＳＤソースについて、ベースバンドデータの伝送フォーマットを示す図である。
【図８】ＰＡＬ−ＨＤソースについて、ベースバンドデータの伝送フォーマットを示す図である。
【図９】ＰＡＬ−ＳＤソースについて、ベースバンドデータの伝送フォーマットを示す図である。
【図１０】ＥＡＶ、ＳＡＶの定義内容例を示す図である。
【図１１】本実施の形態における、フレーム基準信号の挿入態様例を示す図である。
【図１２】メイン信号処理部の内部構成例を示す図である。
【図１３】メイン信号処理部の動作例を示すタイミングチャートである。
【図１４】表示出力系信号処理部の内部構成例を示す図である。
【図１５】表示出力系信号処理部におけるＨＤソース対応のデマルチプレクス処理を示すタイミングチャートである。
【図１６】表示出力系信号処理部におけるＳＤソース対応のデマルチプレクス処理を示すタイミングチャートである。
【図１７】表示出力系信号処理部の動作例を示すタイミングチャートである。
【符号の説明】
【０１２０】
１  ビデオカメラ装置、１０  撮像部、１１  カメラ信号処理部、１２  メイン信号処理部、１３  コーデック処理部、１４  メディアドライバ、１５  表示出力系信号処理部、１６  表示部、１７  ビューファインダ、１８  Ｄ端子、１９  ラインアウト端子、２１  カメラデータ処理部、２２  コーデック処理部、２３  セレクタ、２４  ＨＤベースバンド信号処理部、２５  ＳＤベースバンド信号処理部、２６  マルチプレクサ、２７  タイミング信号生成部、３１  入力処理部、３２  ダウンコンバータ部、３４  Ｙ／Ｃ出力用信号処理部、３５、３６  Ｄ／Ａ変換部、４１  ＨＤデマルチプレクサ、４２  ＳＤデマルチプレクサ、４３  基準信号分離／クロック変換部、５１  ダウンコンバータ／クロック変換部、５２  遅延回路、５３  セレクタ
【図１】
2008022436.tif 000003
【図２】
2008022436.tif 000004
【図３】
2008022436.tif 000005
【図４】
2008022436.tif 000006
【図５】
2008022436.tif 000007
【図６】
2008022436.tif 000008
【図７】
2008022436.tif 000009
【図８】
2008022436.tif 000010
【図９】
2008022436.tif 000011
【図１０】
2008022436.tif 000012
【図１１】
2008022436.tif 000013
【図１２】
2008022436.tif 000014
【図１３】
2008022436.tif 000015
【図１４】
2008022436.tif 000016
【図１５】
2008022436.tif 000017
【図１６】
2008022436.tif 000018
【図１７】
2008022436.tif 000019
【手続補正書】
【提出日】平成19年7月31日(2007.7.31)
【手続補正１】
【補正対象書類名】明細書
【補正対象項目名】０００４
【補正方法】変更
【補正の内容】
【０００４】
【特許文献１】特開２００６−１０８８５６号公報
【手続補正２】
【補正対象書類名】明細書
【補正対象項目名】００１３
【補正方法】変更
【補正の内容】
【００１３】
図１は、本願発明を実施するための最良の形態（以下、実施の形態という）としてのビデオカメラ装置１の全体構成例を示している。このビデオカメラ装置１は、本願発明にかかるビデオ（画像、映像）信号処理装置の構成部位を有して成るものとされる、
撮像部１０は、少なくとも、撮像レンズ群や絞りなどの光学系部品から成る光学系部位と、撮像素子を備えた光電変換部位とから成る。光学系部位においては、入射された光を撮像光として、光電変換部位における撮像素子の受光面に結像させる。光電変換部位においては、例えばＣＭＯＳセンサ、あるいはＣＣＤ(Charge Coupled Device)などの光電変換素子を備えて構成され、光学系部位から入射されて受光面にて結像された撮像光を電気信号に変換することで撮像信号を生成し、カメラ信号処理部１１に出力する。
【手続補正３】
【補正対象書類名】明細書
【補正対象項目名】００３９
【補正方法】変更
【補正の内容】
【００３９】
ここで、上記のようにして、データレートの周波数ｆdrが56MHzとされるのであれば、データ伝送のための伝送クロックVINCLKの周波数ｆclとしても、同じ56MHzを設定することができることになる。そこで、図２（ａ）においては、ｆcl＝56MHz（＝１ｆdrh）とされた伝送クロックVINCLKが示されている。
そのうえで、この場合のＹ、Ｃｂ、Ｃｒによるコンポーネント信号形式としては、先の説明のようにして４：２：２とされたうえで、1クロックあたりに対応するＹ、Ｃｂ、Ｃｒの各信号データについての伝送単位を８ビットであることと規定している。
このことに応じて、図２（ａ）に示す伝送フォーマットとしては、先ず、１６ビット分のパラレル伝送ラインＶＩＮ０〜ＶＩＮ１５を設けることとして、パラレル伝送ラインＶＩＮ０〜ＶＩＮ７により、8ビットの輝度信号データＹ n_0〜Ｙ n_7（図では[Ｙ 1_0〜Ｙ 1_7] 〜[Ｙ 6_0〜Ｙ 6_7]までが示される）を、１クロックごとに伝送し、残るパラレル伝送ラインＶＩＮ８〜ＶＩＮ１５により、１クロックごとに交互に、８ビットの色差信号データＣｂ n_0〜Ｃｂ n_7（図では[Ｃｂ 1_0〜Ｃｂ1_7]〜[Ｃｂ 3_0〜Ｃｂ 3_7]までが示される）と、８ビットの色差信号データＣｒ n_0〜Ｃｒ n_7（図では[Ｃｒ 1_0〜Ｃｂ1_7]〜[Ｃｒ 3_0〜Ｃｂ 3_7]までが示される）を伝送するようにされる。
このような伝送フォーマットとすることで、基本ベースバンドデータとして、ＮＴＳＣ−ＨＤあるいはＰＡＬ−ＨＤとされるＨＤソースのビデオ信号データを適正に伝送させることが可能になる。
【手続補正４】
【補正対象書類名】明細書
【補正対象項目名】００４９
【補正方法】変更
【補正の内容】
【００４９】
先ず、ＮＴＳＣ−ＨＤソースについての１フレーム分のデータ数（クロック数clk）としては、基本ベースバンドデータの形式でのラインクロック数(1650)と水平ライン数(1125)とに基づいて、下記（式２）のようにして求めることができる。なお、ここでは、本実施の形態の伝送フォーマットに適合させて、伝送クロックの周波数ｆcl＝112MHz（＝2ｆdrh）であることとする。
1650×1125×（112/56）＝3712500clk・・・（式２）
【手続補正５】
【補正対象書類名】明細書
【補正対象項目名】００５３
【補正方法】変更
【補正の内容】
【００５３】
先ず、図４（ａ）に示されるＮＴＳＣ−ＨＤソースについては、１フレームは、１１２５本の水平ライン(１１２５Ｈ)により形成される。この場合、フレームが開始される水平ラインは第２１ラインとされており、フレームの終端水平ラインは、次の第２０ラインとされている。また、これら１１２５Ｈの水平ラインのうち、前半の５６３Ｈが第1フィールド（奇数フィールド）に対応し、後半の５６２Ｈが第２フィールド(偶数フィールド)に対応するものとしている。
そして、第１フィールドとしては、先頭の第２１ラインから第５６０ラインまでの５４０Ｈが画像として有効な水平ラインである有効ライン区間とされ、続く第５６１ラインからフィールド終端の第５８３ラインまでの２３Ｈの区間が、フィールドごとの垂直垂直ブランキング区間に対応する垂直ブランキング区間とされる。同様にして、第２フィールドでは、先頭の第５８４ラインから第１１２３ラインまでの５４０Ｈが有効ライン区間とされ、続く第１１２４ラインからフィールド終端の第２０ラインまでの２２Ｈの区間が垂直ブランキング区間とされる。そして、これらの区間を形成する各１本ずつのライン（１Ｈ）は、図示もしているようにして、先の（式２）により求められたとおりに、全て３３００ｃｌｋとなるものである。
【手続補正６】
【補正対象書類名】明細書
【補正対象項目名】００５４
【補正方法】変更
【補正の内容】
【００５４】
これに対して、図４（ｂ）のＮＴＳＣ−ＳＤソースについては下記のようになる。
ここでのＮＴＳＣ−ＳＤソースの１フレームは、第２３ラインから次の第２２ラインまでの５２５Ｈにより形成されるものとしており、前半の２６３Ｈが第１フィールドに対応し、後半の２６２Ｈが第２フィールドに対応するものとされている。また、第１フィールドにおいては、先頭の第２３ラインから第２６２ラインまでの２４０Ｈが有効ライン区間とされ、続く第２６３ラインから第２８５ラインまでの２３Ｈが垂直ブランキング区間とされる。また、第２フィールドにおいては、先頭の第２８６ラインから第５２５ラインまでの２４０Ｈが有効ライン区間で、続く第１ラインから第２２ラインまでの２２Ｈが垂直ブランキング区間となる。
【手続補正７】
【補正対象書類名】明細書
【補正対象項目名】００５８
【補正方法】変更
【補正の内容】
【００５８】
これまでにおいて説明したように、表示出力系伝送路２０により伝送される伝送用ベースバンドデータについてのクロック周期に応じたコンポーネント信号のデータ配列としては、ＮＴＳＣ−ＨＤソースが図２（ｂ）及び図４（ａ）に示され、ＮＴＳＣ−ＳＤソースが図３（ｂ）及び図４（ｂ）に示され、ＰＡＬ−ＨＤソースが図２（ｂ）及び図５（ａ）に示され、ＰＡＬ−ＳＤが図３（ｂ）及び図５（ｂ）に示されるものとなる。そして、実際に表示出力系伝送路２０により伝送用ベースバンドデータを伝送するのにあたっては、これらの図に示される配列のデータを、先にも述べたようにして、ＣＣＩＲ  ＲＥＣ６５６の規格に準じたフォーマットにより伝送することとしている。
【手続補正８】
【補正対象書類名】明細書
【補正対象項目名】００６３
【補正方法】変更
【補正の内容】
【００６３】
そして、上記ステイタスワードの意義内容については、図６（ｄ）により示されている。
先ず、フィールド識別子[Ｆ]は、その水平ラインについて、０であれば第１フィールド（奇数(odd)フィールド）に属することを示し、１であれば第２フィールド（偶数(even)フィールド）に属することを示すものとされる。これに応じて、フィールド識別子[Ｆ]は、ＥＡＶとＳＡＶとで共に、第１ライン〜第３ライン、及び第５６７ライン〜第１１２５ラインにおいて１となるようにされ、第４ライン〜第５６６ラインまでが０となるようにされる。
また、垂直ブランキング区間識別子[Ｖ]については、ＥＡＶとＳＡＶとで共に、第１ライン〜第２０ライン、第５６１ライン〜５８３ライン、及び第１１２４ライン、第１１２５ラインにおいて１とされることで、垂直ブランキング区間であることを示すようにされ、第２１ライン〜第５６０ライン、及び第５８４ライン〜第１１２３ラインにおいて０とされることで、有効ライン区間であることを示すようにされる。
また、ＥＡＶ／ＳＡＶ識別子[Ｈ]については、ＥＡＶでは、全ての水平ラインにおいて１とされることでＥＡＶであることを示し、ＳＡＶでは、全ての水平ラインにおいて０とされることでＳＡＶであることを示すようにされる。
【手続補正９】
【補正対象書類名】明細書
【補正対象項目名】００６５
【補正方法】変更
【補正の内容】
【００６５】
次に、図７により、ＮＴＳＣ−ＳＤの伝送用ベースバンドデータのデータフォーマットを示す。なお、この図において、図６と同等の意義を持つとされる内容については説明を省略する。
先ず、この場合の図７（ａ）に示される、ＮＴＳＣ−ＳＤソースとしてのフレームデータ構造については、１フレームが５２５Ｈから成るものとされたうえで、第１ライン（ＬＩＮＥ１）〜第２２ラインが垂直ブランキング区間とされ、第２３ライン（ＬＩＮＥ２３）〜第２６２ラインまでが第１フィールドの有効ライン区間とされ、第２６３ライン（ＬＩＮＥ２６３）〜第２８５ラインまでが垂直ブランキング区間とされ、第２８６ライン（ＬＩＮＥ２８６）〜第５２５ラインまでが第２フィールドの有効ライン区間とされる。また、この図においては、第１フィールドは、第４ライン〜第２６６ラインにより成り、第２フィールドは、第２６７ライン〜第３ラインにより成るものとしている。このフィールドの範囲設定も、図４（ｂ）とは異なってはいるものの、ＮＴＳＣ−ＨＤの場合と同様に、第１フィールドが、第２３ライン〜第２６２ラインまでの有効ライン区間を含む２６３Ｈの区間であり、第２フィールドが、第２８６ライン〜第５２５ラインまでの有効ライン区間を含む２６２Ｈの区間である、という点では共通しているものである。
【手続補正１０】
【補正対象書類名】明細書
【補正対象項目名】００７２
【補正方法】変更
【補正の内容】
【００７２】
続いて図９のＰＡＬ−ＳＤについて説明する。
先ず、ＰＡＬ−ＳＤのフレーム構造にあっては、図９（ａ）に示すように、１フレームを形成する水平ライン数は６２５Ｈであり、区間設定としては、第１ライン（ＬＩＮＥ１）〜第２２ラインが垂直ブランキング区間とされ、第２３ライン（ＬＩＮＥ２３）〜第３１０ラインまでが第１フィールドの有効ライン区間とされ、第３１１ライン（ＬＩＮＥ３１１）〜第３３５ラインまでが垂直ブランキング区間とされ、第３３６ライン（ＬＩＮＥ３３６）〜第６２３ラインまでが第２フィールドの有効ライン区間とされ、第６２４ライン、第６２５ラインが垂直ブランキング区間とされる。また、第１フィールドは、第１ライン〜第３１３ラインにより成り、第２フィールドは、第３１４ライン〜第６２５ラインにより成るものとしている。
【手続補正１１】
【補正対象書類名】明細書
【補正対象項目名】００７３
【補正方法】変更
【補正の内容】
【００７３】
１水平ラインデータの構造としては、図９（ｂ）（ｃ）により示される。なお、この図においても、図７と同様にして、データセグメントCegは、伝送クロックVINCLKのクロック周波数ｆclが１１２MHzであるとして、112MHz/4となる４clk分に相当し、同じデータを４回多重化して伝送する区間とされるものである。
そのうえで、１水平ラインとしては、それぞれが７１２８ｃｌｋ（＝１７８２×４）からなるものとした上で、先頭の１３６８ｃｌｋを水平ブランキング区間として、以降の５７６０clkによる区間をライン内有効信号区間とする。そして、水平ブランキング区間における、先頭と終端の４clk分の区間をそれぞれＥＡＶ、ＳＡＶとして、図９（ｄ）（ｅ）（ｆ）に示すようにして、水平ラインごとにしかるべきステイタスワード（XY）のビットパターンを設定する。
【手続補正１２】
【補正対象書類名】明細書
【補正対象項目名】００７７
【補正方法】変更
【補正の内容】
【００７７】
この場合の具体的なフレーム基準信号Srefの挿入位置として、データ位置Ｐ（０）からデータ位置Ｐ（−１）までの距離について、ＮＴＳＣ方式については2034clkであることとし、ＰＡＬ方式では2362clkとしている。このクロック数によって決まるフレーム基準信号Srefの挿入位置は、ＮＴＳＣ−ＨＤ、ＮＴＳＣ−ＳＤ、ＰＡＬ−ＨＤ、ＰＡＬ−ＳＤのいずれの場合にも、第１フィールドの垂直ブランキング区間を成す水平ラインのうちの最後の水平ラインにおける、ライン内有効信号区間の範囲内に在るようにされる。つまり、画像表示のためには無効な信号データが配列される区間に対して挿入される。そして、フレーム基準信号Srefには、このような無効な信号データが配列される区間、領域においては、本来存在しないものとされるビットパターンを設定することで、フレーム基準信号Srefであることの識別が可能なようにする。
【手続補正１３】
【補正対象書類名】明細書
【補正対象項目名】００８１
【補正方法】変更
【補正の内容】
【００８１】
セレクタ２３では、信号の入出力経路についての選択を行う。例えばビデオカメラ装置１の動作モードが撮像モードとされている場合などに応じて、表示出力系信号処理部１５に対して撮像画像の信号を出力させるべき場合には、入力として、カメラデータ処理部２１の出力信号を選択する。これに対して、メディアに記録されている画像データの再生モードなどとされて、表示出力系信号処理部１５に対して、例えばメディアから読み出した画像データを元とする信号を出力させるべき場合には、コーデックデータ処理部２２の出力信号を選択するようにされる。例えばメディアから再生した画像データを再生する場合には、メディアから読み出した圧縮符号化データについて復号処理を行うようにされ、従って、コーデックデータ処理部２２からは、この復号処理後のデータについて処理を施した信号が出力されるものである。
また、セレクタ２３は、上記のようにして入力した信号（入力信号）が、ＨＤフォーマットに対応する形式を有している場合には、この入力信号をＨＤベースバンド信号処理部２４に対して出力するようにされる。これに対して、ＳＤフォーマットに対応する形式の入力信号の場合には、ＳＤベースバンド信号処理部２５に対して出力させるようにする。
例えば、撮像モードとして、ＨＤフォーマットにより撮像記録を行うモードが設定されていた場合には、ビデオ信号データは、例えばカメラデータ処理部２１から出力されるまでの所定段階において、ＨＤに対応する所定の信号形式となるようにして生成され、セレクタ２３の入力信号としては、ＨＤに対応する形式であることになる。これに対して、ＳＤフォーマットによる撮像記録モードが設定されていた場合であれば、セレクタ２３に入力されるまでにおいて、ＳＤに対応する所定の信号形式となるようにして生成されていることになるものである。
また、メディアから読み出された画像データが、ＨＤフォーマットによるものである場合には、セレクタ２３の入力信号としては、ＨＤフォーマットに対応することになり、ＳＤフォーマットによるものである場合には、セレクタ２３の入力信号はＳＤフォーマットに対応することになる。
【手続補正１４】
【補正対象書類名】明細書
【補正対象項目名】００８３
【補正方法】変更
【補正の内容】
【００８３】
また、ＳＤベースバンド信号処理部２５では、タイミング信号生成部２７から供給されるタイミング信号群Stm_SDに基づいて、セレクタ２３側から入力されるビデオ信号データについての、ベースバンドデータ化に関する所定の信号処理を実行する。このタイミング信号群Stm_SDも、上記タイミング信号群Stm_HDと同様に、所定の１以上のタイミング信号を一括して示したものである。
ＳＤベースバンド信号処理部２５における信号処理としては、先ず、タイミング信号として、周波数が13.5MHzのクロックと、このクロックに同期した、垂直／水平同期信号（垂直／水平コントロール信号）などを利用して、入力されるビデオ信号データについて、図３（ｂ）に示した基本ベースバンドデータのデータ配列による信号に変換する。次に、この基本ベースバンドデータの信号について、ＮＴＳＣ方式に対応しては、図３（ｂ）及び図４（ｂ）に示されるデータ配列によるベースバンドデータの信号に変換し、ＰＡＬ方式に対応しては、図３（ｂ）及び図５（ｂ）に示されるデータ配列によるベースバンドデータの信号に変換する。なお、この信号としても、ＥＡＶ、ＳＡＶなどのコードや、フレーム基準信号Srefのコードなどは未だ挿入されていない構造であるものとされる。また、この処理に際しても、周波数が112MHzのクロック（伝送用クロックVINCLK）と、このクロックに同期したＮＴＳＣ−ＳＤあるいはＰＡＬ−ＳＤに対応の垂直／水平同期信号（垂直／水平コントロール信号）などを利用するようにされる。そして、このようにして生成したベースバンドデータの信号を、信号SD_SIGとしてマルチプレクサ２６に出力するようにされる。
【手続補正１５】
【補正対象書類名】明細書
【補正対象項目名】００８８
【補正方法】変更
【補正の内容】
【００８８】
セレクタ２３は、上記したようなＨＤからＳＤへの信号フォーマットの切り換わりに応じて、必要があれば、入力の切り換えを行うようにされるとともに、これまでのＳＤベースバンド信号処理部２５に対するＨＤソースの信号の出力から、ＳＤベースバンド信号処理部２５に対するＨＤソースの信号出力に切り換えるように動作する。この結果、マルチプレクサ２６に対する信号入力のタイミングは、図１３に示されるようにして、例えば信号HD_SIGとしてフレームデータＨＤ１、ＨＤ２が入力されていた状態に続けて、信号SD_SIGとしてフレームデータＳＤ１、ＳＤ２、ＳＤ３・・・が入力されるものとなる。
また、この場合において、同じマルチプレクサ２６に対して供給される基準フレーム信号Ref_112Mのフレーム同期タイミングは、図示しているように、マルチプレクサ２６に入力される信号HD_SIG、SD_SIGのフレーム同期タイミングに対して、時間ｔｄ１だけ遅延するものとして設定されている。
【手続補正１６】
【補正対象書類名】明細書
【補正対象項目名】００８９
【補正方法】変更
【補正の内容】
【００８９】
マルチプレクサ２６では、上記フレーム同期タイミングによる基準フレーム信号Ref_112Mに従って、先に述べた、伝送用ベースバンドデータを生成するための信号処理を実行して、112MHzの伝送用クロックに同期させたタイミングで伝送出力を行う。そして、この図の場合のようにして、マルチプレクサ２６に入力される信号が、ＨＤソースからＳＤソースに切り換わったとされる場合には、同じ図１３の伝送用ベースバンドデータとして示すように、基準フレーム信号Ref_112Mに対応するフレーム同期タイミングにより、フレームデータＨＤ１、ＨＤ２、ＳＤ１、ＳＤ２、ＳＤ３の順により連続してマルチプレクサ２６から出力するようにされる。なお、基準フレーム信号Ref_112Mに対応するフレーム同期タイミングに対して、マルチプレクサ２６からの出力である伝送用ベースバンドデータのフレームデータ間の区切り位置が時間ｔｄ２の分だけ遅延しているのは、マルチプレクサ２６の内部処理時間によるものである。
なお、確認のために述べておくと、ＨＤソースからＳＤソースに信号が切り換わった場合においても、図１３と同様に、フレームデータが連続するようにしてＨＤソースからＳＤソースへの切り換えが行われるものである。
【手続補正１７】
【補正対象書類名】明細書
【補正対象項目名】００９２
【補正方法】変更
【補正の内容】
【００９２】
上記ＨＤデマルチプレクサ４１における信号処理例を、図１５のタイミングチャートにより説明しておく。
この図において、ＨＤデマルチプレクサ４１に入力されるＨＤソースの信号は、入力信号HD_VINとして示されている。この入力信号HD_VINは、クロック周波数ｆcl＝112MHzの伝送用クロックVINCLKに対して、図のようにして同期して入力されるものとなっている。つまり、伝送用クロックVINCLKの１周期（１ｃｌｋ）ごとに、各８ビットの色差信号データＣｂ、輝度信号データＹ、色差信号データＣｒ、輝度信号データＹの順により、データが繰り返される形式とななる。確認のために述べておくと、この入力信号HD_VINと、伝送用クロックVINCLKとの関係は、図２（ｂ）に示したデータ配列に対応するものである。
また、ＨＤデマルチプレクサ４１では、伝送用クロックVINCLKを基として、入力信号HD_VINから検出したＳＡＶ、ＥＡＶのタイミングに基づいて、伝送用クロックVINCLKに対して１／２の周波数（56MHz）で同期するようにされた２つのタイミング信号（タイミングパルス）1stpls、2ndplsを生成するようにされる。このタイミング信号1stpls、2ndplsは、互いに１８０°の位相差を有する関係となるようにされており、入力信号HD_VINとの関係としては、タイミング信号1stplsのＨレベルパルスが、色差信号データＣｂ，Ｃｒのタイミングと一致するようにされ、一方のタイミング信号2ndplsのＨレベルパルスが、輝度信号データＹのタイミングと一致するようにされている。
【手続補正１８】
【補正対象書類名】明細書
【補正対象項目名】００９３
【補正方法】変更
【補正の内容】
【００９３】
そして、ＨＤデマルチプレクサ４１では、入力信号HD_VINについて、伝送用クロックVINCLKにより２段（2clk）遅延させることにより、信号HD_VIN_2dを生成する。そして、この信号HD_VIN_2dを、タイミング信号1stplsのＨレベルによりラッチすることで、その出力として、信号HD_VIN_2d_1stlatを得るようにされる。この信号HD_VIN_2d_1stlatは、図示するようにして、伝送用クロックVINCLK （ｆcl＝112MHz）の２clkの期間ごとに、色差信号データＣｂ、Ｃｒが得られるものとなっている。つまり、この段階で、入力信号HD_VINから色差信号データＣｂ、Ｃｒが取り出されたことになるものである。そして、この信号HD_VIN_2d_1stlatについて、伝送用クロックVINCLK （ｆcl＝112MHz）により５段（5clk）遅延させることで、信号HD_VIN_2d_1stlat_5dとしての信号タイミングを設定しておくようにされる。
【手続補正１９】
【補正対象書類名】明細書
【補正対象項目名】００９４
【補正方法】変更
【補正の内容】
【００９４】
また、ＨＤデマルチプレクサ４１は、信号HD_VIN_2dについて、タイミング信号2ndplsのＨレベルのタイミングでのラッチも行うようにされる。このラッチ出力が、入力信号HD_VINから輝度信号データＹを取り出したとされる、信号HD_VIN_2d_2ndlatとなるものである。この信号HD_VIN_2d_2ndlatについては、伝送用クロックVINCLK （ｆcl＝112MHz）により４段（4clk）遅延させて、信号HD_VIN_2d_2ndlat_4dとしてのタイミングとしておくようにされる。
【手続補正２０】
【補正対象書類名】明細書
【補正対象項目名】００９５
【補正方法】変更
【補正の内容】
【００９５】
ここまでの処理により、入力信号HD_VINからは、色差信号データＣｂ、Ｃｒと、輝度信号データＹがそれぞれ個別に取り出され、かつ、信号HD_VIN_2d_1stlat_5d、HD_VIN_2d_2ndlat_4dとして示すように、色差信号データＣｂ、Ｃｒと、輝度信号データＹのタイミングも一致するようにされる。
【手続補正２１】
【補正対象書類名】明細書
【補正対象項目名】００９６
【補正方法】変更
【補正の内容】
【００９６】
そこで、ＨＤデマルチプレクサ４１では、伝送用クロックVINCLK （ｆcl＝112MHz）を２分周したクロックDMLCK56（56MHz）を生成し、このクロックDMLCK56により、上記信号HD_VIN_2d_1stlat_5d、HD_VIN_2d_2ndlat_4dの同期をとるようにされる。この結果、図示するようにして、56MHzのクロックDMLCK56に同期して、1clkあたり各８ビットの色差信号データ（Ｃｂ、Ｃｒ）と、輝度信号データＹのシーケンスが得られることになる。そして、この色差信号データと輝度信号データのシーケンスが、それぞれ信号C_56M、Y_56Mとされ、ＨＤデマルチプレクサ４１の出力として得られるようにされる。これら信号C_56M、Y_56Mの形式は、図２（ａ）に示したＨＤソースの基本ベースバンドデータに対応したものとなる。
【手続補正２２】
【補正対象書類名】明細書
【補正対象項目名】００９８
【補正方法】変更
【補正の内容】
【００９８】
このＳＤデマルチプレクサ／クロック変換部４２におけるデマルチプレクサの信号処理例を、図１６のタイミングチャートに示す。
ＳＤデマルチプレクサ／クロック変換部４２のデマルチプレクサに入力されるＳＤソースの信号である入力信号SD_VINは、図示するようにして、クロック周波数ｆcl＝112MHzによる伝送用クロックVINCLの４clkごとに、色差信号データＣｂ、輝度信号データＹ、色差信号データＣｒ、輝度信号データＹの順の繰り返しで入力されてくるものとなっている。つまり、入力信号SD_VINは、図３（ｂ）に示したデータ配列の形式とされて、１clkあたり8ビットのデータを連続する４ｃｌｋの区間ごとにより、４回多重化して伝送されてくるものである。
また、この場合のタイミング信号1stpls、2ndplsは、入力信号SD_VINから検出したＳＡＶ、ＥＡＶのタイミングに基づいて、伝送用クロックVINCLKに対して１／８の周波数（14MHz）で同期するようにされた信号として生成される。このタイミング信号1stpls、2ndplsとしても、互いに位相が１８０°異なるものとされている。入力信号SD_VINとの関係としては、タイミング信号1stplsのＨレベルパルスが、4回多重化される色差信号データＣｂ，Ｃｒのシーケンスにおける３回目のタイミングと一致するようにされ、一方のタイミング信号2ndplsのＨレベルパルスは、４回多重化される輝度信号データＹのシーケンスにおける３回目のタイミングと一致するようにされている。
【手続補正２３】
【補正対象書類名】明細書
【補正対象項目名】００９９
【補正方法】変更
【補正の内容】
【００９９】
次に、ＳＤデマルチプレクサ／クロック変換部４２のデマルチプレクサでは、入力信号SD_VINについて、伝送用クロックVINCLKにより２段（2clk）遅延させることにより、信号SD_VIN_2dを生成するようにされ、さらに、この信号SD_VIN_2dを、タイミング信号1stplsのＨレベルによりラッチすることで信号SD_VIN_2d_1stlatを得るようにされる。これにより、入力信号SD_VINから色差信号データＣｂ、Ｃｒが取り出されたことになる。そして、この信号SD_VIN_2d_1stlatについて、伝送用クロックVINCLK（ｆcl＝112MHz）により１３段（13clk）遅延させて、信号SD_VIN_2d_1stlat_13dとしての信号タイミングを設定しておくようにされる。
また、入力信号SD_VINから輝度信号データＹを取り出すために、信号SD_VIN_2dについてタイミング信号2ndplsのＨレベルのタイミングによるラッチを行って信号SD_VIN_2d_2ndlatを得るようにされる。そして、この信号SD_VIN_2d_2ndlatについては、伝送用クロックVINCLK（ｆcl＝112MHz）により９段（９clk）遅延させることで、信号SD_VIN_2d_2ndlat_9dとしてのタイミングを得ておくようにされる。
このようにして、信号SD_VIN_2d_1stlat_13d、SD_VIN_2d_2ndlat_9dが得られることで、入力信号SD_VINから色差信号データＣｂ、Ｃｒと、輝度信号データＹがそれぞれ個別に取り出され、かつ、色差信号データＣｂ、Ｃｒと、輝度信号データＹのタイミングとで一致したタイミングが得られるようにされる。
【手続補正２４】
【補正対象書類名】明細書
【補正対象項目名】０１００
【補正方法】変更
【補正の内容】
【０１００】
次にＳＤデマルチプレクサ／クロック変換部４２のデマルチプレクサは、伝送用クロックVINCLK（ｆcl＝112MHz）を２分周したクロックDMLCK56（56MHz）を生成し、このクロックDMLCK56により、上記信号SD_VIN_2d_1stlat_13d、SD_VIN_2d_2ndlat_9dの同期を図る。この結果、図示するようにして、56MHzのクロックDMLCK56に同期して、８ビットの色差信号データ（Ｃｂ、Ｃｒ）が４ｃｌｋごとに４回多重化されたシーケンスによる信号C_56Mと、輝度信号データＹが４ｃｌｋごとに４回多重化されたシーケンスによる信号Y_56Mとが並行したタイミングで得られることになる。これら信号C_56M、Y_56Mの形式は、図３（ａ）に示した56MHzクロックに同期したベースバンドデータに対応したものとなる。
【手続補正２５】
【補正対象書類名】明細書
【補正対象項目名】０１０１
【補正方法】変更
【補正の内容】
【０１０１】
そして、ＳＤデマルチプレクサ／クロック変換部４２のデマルチプレクサは、上記のようにして得られた信号C_56M、Y_56Mを、同じＳＤデマルチプレクサ／クロック変換部４２のクロック変換部に出力するようにされる。クロック変換部においては、入力した信号C_56M、Y_56Mについて、27MHzのクロックに従った所定タイミングでのラッチなどを実行することで、27MHzのクロックに同期した、色差信号データ（Ｃｂ，Ｃｒ）による信号C_27Mと、輝度信号データＹによる信号Y_27Mを生成する。この信号C_27Mと信号Y_27Mは、27MHzのクロックの1clkのタイミングにおいては、各８ビットの輝度信号データＹと色差信号データ（Ｃｂ，Ｃｒ）が得られる、１６ビットパラレルの形式とされる。そして、この信号C_27M、Y_27Mを、ＳＤデマルチプレクサ／クロック変換部４２の出力信号とする。
【手続補正２６】
【補正対象書類名】明細書
【補正対象項目名】０１２０
【補正方法】変更
【補正の内容】
【０１２０】
１  ビデオカメラ装置、１０  撮像部、１１  カメラ信号処理部、１２  メイン信号処理部、１３  コーデック処理部、１４  メディアドライバ、１５  表示出力系信号処理部、１６  表示部、１７  ビューファインダ、１８  Ｄ端子、１９  ラインアウト端子、２１  カメラデータ処理部、２２  コーデックデータ処理部、２３  セレクタ、２４  ＨＤベースバンド信号処理部、２５  ＳＤベースバンド信号処理部、２６  マルチプレクサ、２７  タイミング信号生成部、３１  入力処理部、３２  ダウンコンバータ部、３４  Ｙ／Ｃ出力用信号処理部、３５、３６  Ｄ／Ａ変換部、４１  ＨＤデマルチプレクサ、４２  ＳＤデマルチプレクサ、４３  基準信号分離／クロック変換部、５１  ダウンコンバータ／クロック変換部、５２  遅延回路、５３  セレクタ
【手続補正２７】
【補正対象書類名】図面
【補正対象項目名】図５
【補正方法】変更
【補正の内容】
【図５】
2008022436.tif 000020
【手続補正２８】
【補正対象書類名】図面
【補正対象項目名】図１４
【補正方法】変更
【補正の内容】
【図１４】
2008022436.tif 000021
【手続補正２９】
【補正対象書類名】図面
【補正対象項目名】図１７
【補正方法】変更
【補正の内容】
【図１７】
2008022436.tif 000022